(57)【特許請求の範囲】
【請求項１】
開始操作が行われることに基づいて複数列の図柄を変動させる遊技が図柄表示装置で開始され、前記図柄表示装置に表示結果が導出されることにより遊技が終了し、前記図柄表示装置の表示結果に応じて入賞が発生可能とされる遊技機において、
通常遊技状態において第１の移行条件が成立したときに第１有利遊技状態に制御し、前記第１有利遊技状態において第２の移行条件が成立したときに前記第１有利遊技状態とは異なる第２有利遊技状態に制御する遊技状態制御手段と、
前記第１有利遊技状態と前記第２有利遊技状態で遊技者にとって有利となる有利情報を報知するための制御を行う報知制御手段と、を備え、
前記第１有利遊技状態に制御される報知期間は遊技回数で制御され、
前記第１有利遊技状態から前記第２有利遊技状態に移行した場合には前記報知期間の残り遊技回数を特定可能な情報が保持され、
前記第２有利遊技状態中において特別条件の成立を許容する旨の決定がなされた場合、当該特別条件に基づく遊技回数が前記第１有利遊技状態から前記第２有利遊技状態に移行した場合に保持された情報から特定可能な残り遊技回数に加算され、
前記第１有利遊技状態から前記第２有利遊技状態に移行した場合に保持された情報から特定可能な残り遊技回数と、当該残り遊技回数に加算される遊技回数と、を区別して表示可能であることを特徴とする遊技機。
【発明の詳細な説明】
【技術分野】
【０００１】
本発明は、遊技者による開始操作が行われることに基づいて複数列の図柄を変動させる遊技が図柄表示装置で開始され、前記図柄表示装置に表示結果が導出されることにより１回の遊技が終了される遊技機に関するものである。
【背景技術】
【０００２】
遊技機の一種であるパチンコ式スロットマシン（回胴式遊技機、以下「パチスロ」と示す）は、一般に、複数種類の図柄が描かれた複数（通常は３つ）のリールを有する図柄表示装置を備えており、各リールは、遊技者がスタートレバーを操作することにより回転を開始し、また、遊技者各リールに対応して設けられたストップボタンを操作することにより停止する。そして、全てのリールの回転を停止したときに導出された表示結果にしたがって入賞が発生する。
【０００３】
このようなパチスロにおいては、遊技者にとって有利な状態での遊技となる有利遊技状態に制御し、遊技媒体（通常はメダル）を消費することなく次のゲームを行う再遊技役の当選確率を通常時よりも高めるとともに、内部抽選で特定の役に当選したときに該特定の役を入賞させるための操作手順を特定可能な情報を報知するものがある。
【０００４】
また、このようなパチスロにおいては、特定条件が成立したときに、通常遊技状態から上記有利遊技状態に昇格させるかを抽選する昇格抽選及び上記有利な状態での遊技とする期間として予め定められたゲーム数に上乗せするゲーム数を抽選する上乗せ抽選を行い、抽選結果に応じて上記有利遊技状態に制御するものがある（例えば、特許文献１）。
【先行技術文献】
【特許文献】
【０００５】
【特許文献１】特開２００５−０６５８６３号公報
【発明の概要】
【発明が解決しようとする課題】
【０００６】
しかしながら、特許文献１のパチスロでは、特定条件が成立したときに、毎回同じ抽選条件にしたがって、昇格抽選及び上乗せ抽選が行われる。このため、遊技を進行させたとしても、上記有利遊技状態に制御されること及び上乗せされるゲーム数が多くなることなどの上記有利遊技状態に対する期待感を変化させることができなかった。
【０００７】
この発明は、このような従来技術に存在する問題点に着目してなされたものであり、その目的は、有利遊技状態に対する期待感を変化させて遊技の興趣を効果的に向上させることができる遊技機を提供することにある。
【課題を解決するための手段】
【０００８】
上記課題を解決する遊技機は、開始操作が行われることに基づいて複数列の図柄を変動させる遊技が図柄表示装置で開始され、前記図柄表示装置に表示結果が導出されることにより遊技が終了し、前記図柄表示装置の表示結果に応じて入賞が発生可能とされる遊技機において、通常遊技状態において第１の移行条件が成立したときに第１有利遊技状態に制御し、前記第１有利遊技状態において第２の移行条件が成立したときに前記第１有利遊技状態とは異なる第２有利遊技状態に制御する遊技状態制御手段と、前記第１有利遊技状態と前記第２有利遊技状態で遊技者にとって有利となる有利情報を報知するための制御を行う報知制御手段と、を備え、前記第１有利遊技状態に制御される報知期間は遊技回数で制御され、前記第１有利遊技状態から前記第２有利遊技状態に移行した場合には前記報知期間の残り遊技回数を特定可能な情報が保持され、前記第２有利遊技状態中において特別条件の成立を許容する旨の決定がなされた場合、当該特別条件に基づく遊技回数が前記第１有利遊技状態から前記第２有利遊技状態に移行した場合に保持された情報から特定可能な残り遊技回数に加算され、前記第１有利遊技状態から前記第２有利遊技状態に移行した場合に保持された情報から特定可能な残り遊技回数と、当該残り遊技回数に加算される遊技回数と、を区別して表示可能である。
【発明の効果】
【０００９】
本発明によれば、有利遊技状態に対する期待感を変化させて遊技の興趣を効果的に向上させることができる。
【図面の簡単な説明】
【００１０】
【図１】パチスロの機表側を示す正面図。
【図２】入賞ラインを示す模式図。
【図３】賞態様を示す模式図。
【図４】パチスロの電気的構成を示すブロック図。
【図５】（ａ），（ｂ）は当選役決定テーブルを示す模式図。
【図６】遊技状態の移行の態様を示す模式図。
【図７】演出状態の移行の態様を示す模式図。
【図８】（ａ）〜（ｅ）は各種演出を示す模式図。
【図９】（ａ），（ｂ）はＡＲＴ還元処理の処理内容を説明する模式図。
【図１０】（ａ），（ｂ）はＡＲＴ残り回数加算となるＡＲＴ還元処理を説明する模式図。
【図１１】（ａ），（ｂ）は逆転抽選を経てＡＲＴ残り回数加算となるＡＲＴ還元処理を説明する模式図。
【図１２】（ａ），（ｂ）は逆転抽選を経てＡＲＴ経過回数加算となるＡＲＴ還元処理を説明する模式図。
【図１３】（ａ），（ｂ）はＢＮ後確変モードから確変モードへの移行の態様を説明する模式図。
【図１４】（ａ），（ｂ）はＢＮ後確変モード中にペナルティが付与される態様を説明する模式図。
【発明を実施するための形態】
【００１１】
以下、本発明を遊技機の一種であるパチンコ式スロットマシン（回胴式遊技機、以下、「パチスロ」と示す）に具体化した一実施形態を図１〜図１４に基づいて説明する。
図１には、本実施形態のパチスロ１０の機表側が略示されており、パチスロ１０は、前面を開口した直方体状の本体１１と、当該本体の左側縁側に対して回動開閉可能に軸支された前面扉１２とを備えている。前面扉１２の前面上部には、遊技中（変動ゲーム中）に表示演出を行う液晶表示装置からなる表示演出装置としての演出表示装置１４が配設されている。また、前面扉１２には、該前面扉１２を囲うように各種の演出効果光を発する枠用ランプＲが設けられている。また、前面扉１２の左右上部には、音声演出を行うスピーカＳＰが配設されている。
【００１２】
前面扉１２の前面中央には、中央パネル１５が設けられているとともに、当該中央パネル１５には、機内部に配設される図柄表示装置としてのドラムユニット１３を透視可能な透視窓１６が設けられている。透視窓１６は、中央パネル１５と一体形成された合成樹脂板から構成されている。ドラムユニット１３は、各種の図柄が印刷された投光性を有する帯状のリールシートが外周に巻装された左リール１３Ｌと、中リール１３Ｃと、右リール１３Ｒとから構成されている。そして、透視窓１６には、左リール１３Ｌを第１図柄列として、該第１図柄列が配置される隣には第２図柄列としての中リール１３Ｃが配置し、該第２図柄列が配設される隣には第３図柄列としての右リール１３Ｒが配置している。ドラムユニット１３の各リール（左リール１３Ｌ、中リール１３Ｃ、及び右リール１３Ｒ）に印刷される各図柄は、予め定められた順に各図柄がそれぞれに配列されている。ドラムユニット１３の左リール１３Ｌには、図柄Ｌ００〜図柄Ｌ２０の２１個の図柄が配列されている。また、中リール１３Ｃには、図柄Ｃ００〜図柄Ｃ２０までの２１個の図柄が配列されている。また、右リール１３Ｒには、図柄Ｒ００〜図柄Ｒ２０までの２１個の図柄が配列されている。そして、変動ゲームにおいて左リール１３Ｌでは、図柄Ｌ００、図柄Ｌ０１・・・図柄Ｌ２０、図柄Ｌ００の順に透視窓１６に表示されるように変動する。また、変動ゲームにおいて中リール１３Ｃでは、図柄Ｃ００、図柄Ｃ０１・・・図柄Ｃ２０、図柄Ｃ００の順に透視窓１６に表示されるように変動する。また、変動ゲームにおいて右リール１３Ｒでは、図柄Ｒ００、図柄Ｒ０１・・・図柄Ｒ２０、図柄Ｒ００の順に透視窓１６に表示されるように変動する。
【００１３】
なお、本実施形態において各リールでは、「ベル」を模した図柄（ベル図柄）、「再」の文字が装飾された図柄（リプレイ図柄）、「７」を模した図柄（セブン図柄）がそれぞれ配列されている。また、各リールでは、「スイカ（すいか）」を模した図柄（スイカ図柄）、「チェリー」を模した図柄（チェリー図柄）、「徳利」を模した図柄（徳利図柄）がそれぞれ配列されている。以下では、各図柄を、「図柄」を省いて、「ベル」、「リプレイ」、「セブン」、「スイカ」、「チェリー」、「徳利」という場合もある。
【００１４】
そして、各リールは、各々に対応して設けられたステッピングモータにより独立して縦方向に回転及び停止するように構成されており、各リールが回転することによって透視窓１６には各種図柄が連続的に変化しつつ表示（変動）されるようになっている。そして、各リールの回転が停止した場合、透視窓１６には、各リールのリールシートに印刷された複数の図柄のうち、連続する３つの図柄が上段、中段、下段の位置に停止表示されるようになっている。このため、透視窓１６は、各リールにおいて３つの図柄が表示可能な大きさで形成されている。また、各リールには、該各リールの回転位置を検出するためのリールセンサＳＥ１，ＳＥ２，ＳＥ３（図４に示す）が各リールにそれぞれ対応するように設けられている。
【００１５】
また、パチスロ１０には、図２に示すように、透視窓１６から透視可能な図柄の表示領域において、停止表示される図柄の組み合わせ（導出される表示結果）を規定する複数（本実施形態では５本）の図柄停止ラインが形成されている。本実施形態では、図柄停止ラインとして、停止表示される図柄の組み合わせを入賞と判定しうる入賞ラインＬ１〜Ｌ４（実線で示す）と、停止表示される図柄の組み合わせを入賞と判定し得ない非入賞ラインＬ５（破線で示す）が形成されている。
【００１６】
入賞ラインＬ１〜Ｌ４は、これら図柄停止ライン上に停止表示された図柄の組み合わせが賞を付与する態様である場合、該図柄の組み合わせに応じた賞を付与することとして有効と判定する有効ラインとなる。以下の説明で、単に「入賞ライン」という場合には、入賞ラインＬ１〜Ｌ４を意味する。
【００１７】
また、非入賞ラインＬ５は、図柄停止ライン上に停止表示された図柄の組み合わせが賞を付与する態様と同一態様であったとしても、該図柄の組み合わせに応じた賞を付与しないこととして無効と判定する無効ラインとなる。以下の説明で、単に「非入賞ライン」という場合には、非入賞ラインＬ５を意味する。
【００１８】
具体的に説明すると、本実施形態の透視窓１６では、図２に示すように９つの図柄停止位置Ｄ１〜Ｄ９に各列の図柄が停止表示されるようになっている。これら９つの図柄停止位置Ｄ１〜Ｄ９は、縦方向に上段、中段、下段に対応するとともに、横方向に左リール１３Ｌ、中リール１３Ｃ、右リール１３Ｒに対応するよう３列に配置されている。そして、遊技者側から見て左側の上に位置する左リール用上停止位置Ｄ１と、遊技者側から見て左側の中央に位置する左リール用中停止位置Ｄ２と、遊技者側から見て左側の下に位置する左リール用下停止位置Ｄ３は、左リール１３Ｌに対応する図柄停止位置とされ、左リール１３Ｌの図柄配列において連続する３個の図柄が表示されるようになっている。また、遊技者側から見て中側の上に位置する中リール用上停止位置Ｄ４と、遊技者側から見て中側の中央に位置する中リール用中停止位置Ｄ５と、遊技者側から見て中側の下に位置する中リール用下停止位置Ｄ６は、中リール１３Ｃに対応する図柄停止位置とされ、中リール１３Ｃの図柄配列において連続する３個の図柄が表示されるようになっている。また、遊技者側から見て右側の上に位置する右リール用上停止位置Ｄ７と、遊技者側から見て右側の中央に位置する右リール用中停止位置Ｄ８と、遊技者側から見て右側の下に位置する右リール用下停止位置Ｄ９は、右リール１３Ｒに対応する図柄停止位置とされ、右リール１３Ｒの図柄配列において連続する３個の図柄が表示されるようになっている。
【００１９】
そして、透視窓１６では、左リール用中停止位置Ｄ２、中リール用中停止位置Ｄ５、及び右リール用中停止位置Ｄ８によって入賞ラインＬ１（有効）が形成される。また、透視窓１６では、左リール用上停止位置Ｄ１、中リール用上停止位置Ｄ４、及び右リール用上停止位置Ｄ７によって入賞ラインＬ２（有効）が形成される。また、透視窓１６では、左リール用上停止位置Ｄ１、中リール用中停止位置Ｄ５、及び右リール用下停止位置Ｄ９によって入賞ラインＬ３（有効）が形成される。また、透視窓１６では、左リール用下停止位置Ｄ３、中リール用中停止位置Ｄ５、及び右リール用上停止位置Ｄ７によって入賞ラインＬ４（有効）が形成される。また、透視窓１６では、左リール用下停止位置Ｄ３、中リール用下停止位置Ｄ６、及び右リール用下停止位置Ｄ９によって非入賞ラインＬ５（無効）が形成される。
【００２０】
また、中央パネル１５の透視窓１６の左方には、演出効果光を発する演出用ランプＥＲが設けられている。この演出用ランプＥＲは、変動ゲーム中、遊技者が視界を向けて注目することになる透視窓１６の左方に設けられている。このため、透視窓１６へと遊技者の視界が向けられていると、このような視界には、演出用ランプＥＲが飛び込みうるとともに、遊技を行っている遊技者であれば他の遊技者に比べて該演出用ランプＥＲが飛び込み易くなる。一方、パチスロ１０に遊技者の視界が向けられていると、このような視界には、遊技を行っている遊技者であるか否かに関係なく枠用ランプＲが飛び込みうる。このように演出用ランプＥＲは、遊技を行っていなければ視界に入り難く認識し難いが遊技を行っていれば視界に入り易く認識し易くなるように設けられている。なお、演出用ランプＥＲには、「ＣＨＡＮＣＥ」の文字が装飾されている。この演出用ランプＥＲでは、遊技者に後述するＢＮ役等の当選のチャンスであることを点灯や点滅（フラッシュ）により報知する演出が行われる。
【００２１】
また、中央パネル１５には、変動ゲームに関わる情報を報知する各種情報表示部１９が構成されている。各種情報表示部１９には、投入可能表示用ランプ、再遊技表示用ランプ、ウェイト表示用ランプ、状態ランプ、賭数表示部、貯留枚数表示部、賞枚数表示部、ゲーム情報表示部が形成されている。
【００２２】
投入可能表示用ランプは、変動ゲームのベット数を設定可能な状態、又は機本体に遊技媒体としてのメダルを投入可能な状態である時に点灯し、変動ゲームが開始される、又は最大のベット数（ＭＡＸＢＥＴ）が設定され且つ貯留データ（クレジット）がクレジット上限枚数に達した場合に消灯する。再遊技表示用ランプは、変動ゲームにおいて再遊技役としてのリプレイ役が入賞した場合に点灯する。ウェイト表示用ランプは、ウェイトタイム中にスタート操作が検出された場合に点灯し、ウェイトタイムが経過した後に消灯する。ウェイトタイムは、変動ゲームがあまり速く進行し過ぎてしまうことを規制するために設定された最短遊技時間であり、このウェイトタイム中にスタート操作が検出されると、ウェイトタイムが経過した後に各リールの回転動作が開始するように設定されている。状態ランプは、変動ゲームの進行に合わせて点灯／消灯をする。
【００２３】
また、賭数表示部は、３つのランプから構成されており、変動ゲームのベット数に応じてランプが点灯する。１ベット（１ＢＥＴ）で１つのランプが点灯し、２ベット（２ＢＥＴ）で２つのランプが点灯し、３ベット（３ＢＥＴ）で全てのランプが点灯する。貯留枚数表示部は、機内部で貯留しているクレジット数を表示する。賞枚数表示部は、変動ゲーム中に入賞が発生した場合に、当該入賞に基づいて遊技者に付与される賞メダルの枚数が表示される。ゲーム情報表示部では、ボーナス遊技中の払出枚数の総数を表示する。
【００２４】
また、前面扉１２の前面において中央パネル１５の右下方位置には、メダル投入口２７が配設されている。メダル投入口２７の奥方には、メダルの通過を検知するメダルセンサＳＥ４（図４に示す）が配設されている。また、前面扉１２の前面において中央パネル１５の左下方位置には、左から順にＢＥＴボタン２８とＭＡＸＢＥＴボタン２９とが設けられている。ＢＥＴボタン２８は、機内部で貯留記憶されているクレジットから１ベット分（１枚分）を変動ゲームのベット数（賭数）としてベットする（賭ける）際に押圧（操作）するボタンである。また、ＭＡＸＢＥＴボタン２９は、１回の変動ゲームにおいて許容されるベット数の最大ベット数（本実施例では３ベット分（３枚分））を変動ゲームのベット数としてベットする（賭ける）際に押圧（操作）するボタンである。
【００２５】
また、前面扉１２の前面において各ＢＥＴボタン２８，２９の左下方位置には、精算スイッチ３１が設けられている。精算スイッチ３１は、変動ゲームの開始に伴ってベットされたメダル（遊技媒体）、又は機内部に貯留記憶されているクレジットを払い戻すときに使用（操作）するスイッチである。また、精算スイッチ３１の右方位置には、変動ゲームを開始する際に操作するスタートレバー３２が設けられている。そして、本実施形態では、ベット数の設定終了後にスタートレバー３２を操作することにより、各リールの回転動作が開始されるようになっている。
【００２６】
スタートレバー３２の右方位置には、遊技者により操作される導出操作受付手段としてのストップボタン３３Ｌ，３３Ｃ，３３Ｒが設けられている。ストップボタン３３Ｌ，３３Ｃ，３３Ｒは、回転しているリールを停止させるためのボタンであり、各リールに対応して３個のストップボタンがある。
【００２７】
また、前面扉１２の前面における下部中央部にはメダル排出口３６が形成されている。また、前面扉１２の前面における下部には、メダル排出口３６から排出されたメダルを受ける受皿３７が配設されている。
【００２８】
また、図１に破線で示すように、パチスロ１０本体においてドラムユニット１３の下方となる位置には、パチスロ１０内部において、投入されたメダルを貯留するためのホッパー３８が配置されている。このホッパー３８の下方側にはメダル排出口３６が位置し、図柄の組み合わせが遊技者に賞メダルを付与する予め定める賞態様（役）になった場合には、ホッパー３８に貯留されたメダルがメダル排出口３６へと払出されるようになっている。前面扉１２の裏面側においてメダル投入口２７の下方位置には、該メダル投入口２７とホッパー３８とを繋ぐようにメダルセレクター３９が配設されている。
【００２９】
次に、遊技者が遊技として変動ゲームを行うための操作や、この操作に伴う各種装置の作動状況を説明する。
なお、本実施形態では、直前の変動ゲームで各リールの全てが停止されてからベット有効時間（本実施形態では「１０００ｍｓ」）が経過している状態において、次の変動ゲームに対するメダルの投入又は各ＢＥＴボタン２８，２９の操作が可能な状態となる。
【００３０】
そして、変動ゲームに対するメダルの投入又は各ＢＥＴボタン２８，２９の操作が可能な状態において、ベット数を設定するには、ＢＥＴボタン２８、又はＭＡＸＢＥＴボタン２９の何れかを操作する。ＢＥＴボタン２８が操作された場合には、貯留記憶されているクレジットから１ベット分の枚数（メダル１枚）相当分のクレジットがベット数（賭数）として設定される。また、ＭＡＸＢＥＴボタン２９が操作された場合には、貯留されているクレジットから対象とする変動ゲームで設定可能な最大ベット数分のクレジットがベット数（賭数）として設定される。なお、本実施形態では、３ベットによる変動ゲームを許容するようになっている。
【００３１】
また、本実施形態では、メダル投入口２７からベット数に相当する枚数のメダルを投入することで各ベット数を設定することが可能であって、メダル１枚を投入するとき１ベット分のベット数が設定されるとともに、メダル３枚を投入するとき３ベット分のベット数が設定される。なお、対象とする遊技で設定可能な最大ベット数（本実施形態では３ベット）を超える分のメダルがメダル投入口２７から投入される場合、クレジット機能を使用している時にはクレジットとして記憶される一方で、クレジット機能を使用していない時には図示しない経路を辿ってメダル排出口３６から遊技者に払出される（返却される）ようになっている。
【００３２】
本実施形態では、図２に示すように４本の入賞ラインを定めている。そして、遊技者によりＢＥＴボタン２８、及びＭＡＸＢＥＴボタン２９が操作されると、それぞれのベット数が設定されるとともに４本の入賞ラインが有効となるように設定される。入賞ラインが有効になるとは、当該入賞ライン上に表示された図柄の組み合わせが有効となることで、有効な入賞ライン上に表示された図柄の組み合わせに応じた制御（賞メダルの払出しなど）が行われる。本実施形態における変動ゲームでは常に４本の入賞ラインが有効となるよう構成されている。
【００３３】
上記のようにベット数が設定され、スタートレバー３２の操作が受付可能な状態、すなわち、ゲーム開始可能な状態で遊技者がスタートレバー３２を操作する開始操作を行えば、ドラムユニット１３の各リールが回転し、透視窓１６には複数種類の図柄が連続的に変化するように表示される。その後、各リールが回転して所定時間が経過すると、各ストップボタン３３Ｌ，３３Ｃ，３３Ｒの操作が受付可能になる。そして、遊技者により各ストップボタン３３Ｌ，３３Ｃ，３３Ｒが操作されると、対応する各リールが停止され、透視窓１６からは対応する列の上段、中段及び下段に図柄が表示される。
【００３４】
そして、各リールの全てが停止された時点で、有効化された入賞ラインに停止表示された図柄の組み合わせが予め定めた賞態様を形成する場合に入賞となり、入賞した賞態様に応じた賞が遊技者に付与される。例えば、賞として賞メダルを付与する場合には、入賞した賞態様に応じた枚数のメダルが賞メダルとして遊技者に付与される。また、特に予め定められた図柄の組み合わせが表示されてボーナス役（ＢＮ役）が入賞した場合にあっては、一般遊技とは異なり、遊技者にとって有利な、すなわち賞メダルを連続的に獲得可能なボーナス遊技が遊技者に付与される。なお、一般遊技とは、ボーナス遊技でない変動ゲームを示している。
【００３５】
本実施形態では、ベット数の設定後のスタートレバー３２の開始操作を開始契機として１回の変動ゲームが開始し、ストップボタン３３Ｌ，３３Ｃ，３３Ｒの停止操作により図柄の組み合わせが停止表示されることにより１回の遊技が終了する変動ゲームが行われる。なお、図柄の組み合わせに応じて賞メダルが払出される場合には、賞メダルの払出しが完了したことを終了の契機として１回の変動ゲームが終了する。
【００３６】
本実施形態のパチスロ１０において、入賞ライン上に停止表示される図柄の組み合わせについて図３に基づき説明する。
図３には、内部で決定される当選役に基づき入賞ライン上に停止表示する図柄の組み合わせ（停止結果）と、該図柄の組み合わせに対応する賞とを示した役構成が示されている。
【００３７】
本実施形態では、図３に示される当選役に対応する図柄の組み合わせのいずれも有効とされる入賞ライン上に停止表示されていない場合には、１枚以上の賞メダルが遊技者に付与されないようになっている。なお、以下では、図３に示される何れにも対応しない図柄の組み合わせにより入賞ラインを形成している場合の図柄の組み合わせを「はずれ停止目」という。
【００３８】
また、［セブン・セブン・セブン］が入賞ライン上に停止表示される場合には、ボーナス遊技が開始（生起）されて「ボーナスゲーム（以下、「ＢＮ遊技」という）」を付与することを定めている。以下、［セブン・セブン・セブン］により入賞ラインを形成している場合の図柄の組み合わせを「ＢＮ停止目」と示す。そして、ＢＮ停止目は、内部抽選で当選役として「ＢＮ役」が決定されている場合に入賞する賞態様に定められている。
【００３９】
本実施形態において、ＢＮ役は、遊技状態としてＢＮ遊技を作動（開始）させる契機となる特別入賞の発生を許容する当選役（ボーナス役）である。
また、［チェリー・ＡＮＹ・ＡＮＹ］が入賞ライン上に停止表示される場合には、２枚の賞メダルを払出すことを定めている。なお、この場合には、入賞ラインを形成する中リール１３Ｃ及び右リール１３Ｒの停止位置に停止表示される図柄は何れの図柄（「ＡＮＹ」）でもよい。以下では、［チェリー・ＡＮＹ・ＡＮＹ］により入賞ラインを形成している場合の図柄の組み合わせを「チェリー停止目」という。そして、チェリー停止目は、内部抽選で当選役として「チェリー役」が決定されている場合に入賞する賞態様に定められている。
【００４０】
また、［スイカ・スイカ・スイカ］が入賞ライン上に停止表示される場合には、６枚の賞メダルを払出すことを定めている。以下、［スイカ・スイカ・スイカ］により入賞ラインを形成している場合の図柄の組み合わせを「スイカ停止目」という。そして、スイカ停止目は、内部抽選で当選役として「スイカ役」が決定されている場合に入賞する賞態様に定められている。
【００４１】
また、［ベル・ベル・ベル］が入賞ライン上に停止表示される場合には、９枚の賞メダルを払出すことを定めている。以下、［ベル・ベル・ベル］により入賞ラインを形成している場合の図柄の組み合わせを「ベル停止目」という。そして、ベル停止目は、内部抽選で当選役として「左正解ベル役」、「中正解ベル役」、及び「右正解ベル役」の何れかが決定されている場合に入賞する賞態様に定められている。
【００４２】
このため、本実施形態における「チェリー役」、「スイカ役」、「左正解ベル役」、「中正解ベル役」、及び「右正解ベル役」は、入賞ライン上に停止表示される図柄の組み合わせに基づいて賞メダルを払出すことを定める当選役（払出役）となる。また、以下の説明で、単に「ベル役」という場合には、「左正解ベル役」、「中正解ベル役」、及び「右正解ベル役」を意味する。
【００４３】
また、［リプレイ・リプレイ・ベル］が入賞ライン上に停止表示される場合には、遊技者がベット数をベットすることなく内部で自動的にベット数が設定されることで次の変動ゲームを行う再遊技を付与することを定めている。以下、［リプレイ・リプレイ・ベル］により入賞ラインを形成している場合の図柄の組み合わせを「維持リプレイ停止目」という。そして、維持リプレイ停止目は、内部抽選で当選役として「維持リプレイ役」が決定されている場合に入賞する賞態様に定められている。
【００４４】
また、［リプレイ・リプレイ・リプレイ］が入賞ライン上に停止表示される場合には、再遊技を付与することを定めている。以下、［リプレイ・リプレイ・リプレイ］により入賞ラインを形成している場合の図柄の組み合わせを「転落リプレイ停止目」という。そして、転落リプレイ停止目は、内部抽選で当選役として「不問転落リプレイ役」、「左正解転落リプレイ役」、「中正解転落リプレイ役」、及び「右正解転落リプレイ役」の何れかが決定されている場合に入賞する賞態様に定められている。
【００４５】
また、［ベル・リプレイ・ベル］が入賞ライン上に停止表示される場合には、再遊技を付与することを定めている。以下、［ベル・リプレイ・ベル］により入賞ラインを形成している場合の図柄の組み合わせを「上昇リプレイ停止目」という。そして、上昇リプレイ停止目は、内部抽選で当選役として「左正解上昇リプレイ役」、「中正解上昇リプレイ役」、及び「右正解上昇リプレイ役」の何れかが決定されている場合に入賞する賞態様に定められている。
【００４６】
このため、本実施形態における「維持リプレイ役」、各「転落リプレイ役」、及び各「上昇リプレイ役」は、入賞ライン上に停止表示される図柄の組み合わせに基づいて再遊技を伴う再遊技入賞の発生を許容する再遊技入賞役（以下、「リプレイ役」という）となる。再遊技が付与される場合、遊技者はベット数をベットすることなく次の変動ゲームを行うことができる。そして、再遊技によりベット数が設定される場合には、再遊技が付与される契機となった変動ゲームで設定されたのと同一ベット数を設定することになる。なお、リプレイ役では、リプレイ役が停止表示した変動ゲームが行われたベット数と同じベット数で次の変動ゲームを行うことができるのみであって、賞としてメダルが遊技者に払い出されるわけではない。すなわち、遊技者は、リプレイ役の入賞によっては賞メダルを獲得するわけではない。以下の説明で、単に「転落リプレイ役」という場合には、「不問転落リプレイ役」、「左正解転落リプレイ役」、「中正解転落リプレイ役」、及び「右正解転落リプレイ役」を意味する。また、「押し順転落リプレイ役」という場合には、「左正解転落リプレイ役」、「中正解転落リプレイ役」、及び「右正解転落リプレイ役」を意味する。また、単に「上昇リプレイ役」という場合には、「左正解上昇リプレイ役」、「中正解上昇リプレイ役」、及び「右正解上昇リプレイ役」を意味する。
【００４７】
本実施形態では、上述した「チェリー役」、「スイカ役」、「ベル役」、及び「リプレイ役」が小役となる。また、本実施形態では、上述した「転落リプレイ役」や「上昇リプレイ役」が特定入賞の発生を許容する特定入賞役に相当する。
【００４８】
また、［徳利・セブン・セブン］が何れかの入賞ライン上に停止表示される場合には、シングルボーナス遊技が開始（生起）されて「シングルボーナスゲーム（以下、「ＳＩＮ遊技」と示す）」を付与することを定めている。以下、［徳利・セブン・セブン］により入賞ラインを形成している場合の図柄の組み合わせを、「ＳＩＮ停止目」と示す。そして、ＳＩＮ停止目は、内部抽選で当選役として「ＳＩＮ役」が決定されている場合に入賞する賞態様に定められている。
【００４９】
また、［ベル・チェリー・ベル］が何れかの入賞ライン上に停止表示される場合には、遊技状態に関係なく１枚以上の賞メダルを払出さないことを定めている。以下、［ベル・チェリー・ベル］により入賞ラインを形成している場合の図柄の組み合わせを、準備移行表示結果としての「ＳＩＮこぼし停止目」と示す。そして、ＳＩＮこぼし停止目は、内部抽選で当選役として「ＳＩＮ役」が決定されている場合に停止表示可能に定められている。
【００５０】
本実施形態において、ＳＩＮ役は、遊技状態としてＳＩＮ遊技を作動（開始）させる契機となる特殊入賞の発生を許容する特殊入賞役となる。なお、ＳＩＮ役は、ＳＩＮ停止目の入賞を契機にＳＩＮ遊技を行わせる一方、ＳＩＮこぼし停止目の入賞を契機にはＳＩＮ遊技を行わせない。
【００５１】
また、本実施形態のパチスロ１０には、リプレイ役（維持リプレイ役、転落リプレイ役、上昇リプレイ役）の当選確率を変動させて、遊技状態としてＢＮ遊技以外における一般遊技を制御するＲＴ機能（再遊技役確率変動機能）が搭載されている。本実施形態における一般遊技は、ＲＴ機能の作動態様に応じた状態に制御されるとともに、ＲＴ機能の作動中にはその種類に応じた状態に制御される。そして、ＲＴ機能により一般遊技では、ＲＴ機能の非作動の状態であってリプレイ役の合算の当選確率が高確率抽選状態に設定された非ＲＴ遊技に制御される場合がある。また、ＲＴ機能により一般遊技では、ＲＴ機能の作動の状態であってリプレイ役の合算の当選確率が低確率抽選状態に設定されたＲＴ１遊技又はＲＴ２遊技に制御される場合がある。なお、後で詳しく説明するがＲＴ１遊技は、ＢＮ遊技の終了後にのみ制御されるようになっている。また、ＲＴ機能により一般遊技では、ＲＴ機能の作動の状態であってリプレイ役の合算の当選確率が高確率抽選状態に設定されたＲＴ３遊技に制御される場合がある。なお、共に高確率抽選状態に設定された非ＲＴ遊技とＲＴ３遊技とでは、当選役の対象となるリプレイ役の種類を異ならせている。また、共に低確率抽選状態に設定されたＲＴ１遊技とＲＴ２遊技とでは、当選役の対象となるリプレイ役の種類を異ならせている。以下の説明では、非ＲＴ遊技に制御される一般遊技を「非ＲＴ遊技」といい、ＲＴ１遊技に制御される一般遊技を「ＢＮ後ＲＴ遊技」といい、ＲＴ２遊技に制御される一般遊技を「低確ＲＴ遊技」といい、ＲＴ３遊技に制御される一般遊技を「高確ＲＴ遊技」という。
【００５２】
次に、パチスロ１０の電気的構成を図４にしたがって説明する。
パチスロ１０の機裏側には、遊技機全体を制御する主制御基板４０が装着されている。主制御基板４０は、遊技機全体を制御するための各種処理を実行し、該処理結果に応じて各種の制御信号（制御コマンド）を演算処理し、該制御信号を出力する。また、機裏側には、遊技状態に応じた演出制御等を実行するサブ制御基板４１が装着されている。そして、サブ制御基板４１は、主制御基板４０が出力した各種の制御信号を入力し、該制御信号に基づき所定の制御を実行する。
【００５３】
主制御基板４０には、ドラムユニット１３を構成する各リール（左リール１３Ｌ、中リール１３Ｃ、及び右リール１３Ｒ）、リールセンサＳＥ１〜ＳＥ３、メダルセンサＳＥ４、サブ制御基板４１、ホッパー３８が接続されている。また、主制御基板４０には、中央パネル１５に設けられた各種情報表示部１９が接続されている。また、主制御基板４０には、ＢＥＴボタン２８と、ＭＡＸＢＥＴボタン２９と、精算スイッチ３１と、スタートレバー３２と、各ストップボタン３３Ｌ，３３Ｃ，３３Ｒとが接続されている。また、サブ制御基板４１には、演出表示装置１４が接続されている。また、サブ制御基板４１には、スピーカＳＰや、枠用ランプＲや、演出用ランプＥＲが接続されている。
【００５４】
以下、主制御基板４０について説明する。
主制御基板４０は、主制御用ＣＰＵ４０ａを備えており、該主制御用ＣＰＵ４０ａには、主制御用ＲＯＭ４０ｂ及び主制御用ＲＡＭ４０ｃが接続されている。主制御用ＣＰＵ４０ａは、当選役決定乱数などの各種乱数の値を所定の周期毎に順次更新し、更新後の値を主制御用ＲＡＭ４０ｃの設定領域に設定して更新前の値を書き換えている。当選役決定乱数は、主制御用ＣＰＵ４０ａが当選役決定テーブルに従い役（当選役）を決定する際に使用する乱数である。
【００５５】
また、主制御用ＣＰＵ４０ａには、接続されるリールセンサＳＥ１〜ＳＥ３から透視窓１６で表示されている図柄（回転中の各リールの回転位置）に応じて第１〜第３の位置信号が入力されるようになっている。第１の位置信号には左リール１３Ｌが対応し、第２の位置信号には中リール１３Ｃが対応し、第３の位置信号には右リール１３Ｒが対応するようになっている。そして、主制御用ＣＰＵ４０ａは、第１〜第３の位置信号により各リールの回転位置及び停止位置を把握し、該第１〜第３の位置信号に基づき各リールの回転及び停止の制御を行う。また、主制御基板４０（主制御用ＣＰＵ４０ａ）には、接続されるメダルセンサＳＥ４から該メダルセンサＳＥ４でメダルを検知する毎に、メダルを検知したことを示すメダル検知信号が入力されるようになっている。
【００５６】
また、主制御用ＣＰＵ４０ａには、接続されるＢＥＴボタン２８、ＭＡＸＢＥＴボタン２９、精算スイッチ３１、スタートレバー３２及びストップボタン３３Ｌ，３３Ｃ，３３Ｒが操作されると、各ボタンが操作されたことを示す各種操作信号が入力されるようになっている。また、主制御用ＣＰＵ４０ａには、ホッパー３８が接続されている。
【００５７】
また、主制御用ＲＯＭ４０ｂには、パチスロ１０を制御するためのメイン制御プログラムが記憶されている。また、主制御用ＲＯＭ４０ｂには、遊技状態別、並びに当選役別の内部当選確率が、当選役決定乱数の値の割り当て範囲として定められた複数の当選役決定テーブルが記憶されている。また、主制御用ＲＯＭ４０ｂには、役毎に図柄の組み合わせの停止テーブルが予め定められている。停止テーブルとは、各ストップボタン３３Ｌ，３３Ｃ，３３Ｒを遊技者が操作した時の操作のタイミングによって停止表示させる図柄を役毎に定めたものである。また、主制御用ＲＡＭ４０ｃには、パチスロ１０の動作中に適宜書き換えられる各種情報が記憶（設定）されるようになっている。
【００５８】
次に、主制御用ＲＯＭ４０ｂに記憶される当選役決定テーブルＴ０、Ｔ１，Ｔ２，Ｔ３，Ｔ４について、図５（ａ），（ｂ）に基づき説明する。
主制御用ＲＯＭ４０ｂには、抽選対象となる当選役の種類と、抽選対象となる各当選役の当選確率（抽選対象となる各当選役に振分けられる乱数値（乱数の値の範囲に基づく個数））を遊技状態毎にテーブル化したものが記憶されている。そして、各当選役決定テーブルは、遊技状態に応じて主制御用ＣＰＵ４０ａにより用いられる。
【００５９】
そして、一般遊技において、非ＲＴ遊技に当選役決定テーブルＴ０が、ＢＮ後ＲＴ遊技に当選役決定テーブルＴ１が、低確ＲＴ遊技に当選役決定テーブルＴ２が、高確ＲＴ遊技に当選役決定テーブルＴ３がそれぞれ対応付けられている。また、ＢＮ遊技において、当選役決定テーブルＴ４が対応付けられている。なお、ＳＩＮ遊技において、ＳＩＮ役の当選時の一般遊技に基づく当選役決定テーブルが用いられるようになっている。
【００６０】
このため、本実施形態において、図５（ａ）に示すように、一般遊技では、リプレイ役の合算の当選確率が非ＲＴ遊技及び高確ＲＴ遊技で、ＢＮ後ＲＴ遊技及び低確ＲＴ遊技に比べて大きく高まるように当選役決定乱数が振分けられている。また、一般遊技では、ＢＮ後ＲＴ遊技でのみ維持リプレイ役に当選可能であって、該ＢＮ後ＲＴ遊技ではリプレイ役として維持リプレイ役が主な当選役となるように設定されている。また、一般遊技では、低確ＲＴ遊技及び高確ＲＴ遊技でのみ不問転落リプレイ役に当選可能であって、低確ＲＴ遊技及び高確ＲＴ遊技ではリプレイ役として不問転落リプレイ役が主な当選役となるように設定されている。この場合の不問転落リプレイ役の当選確率は、低確ＲＴ遊技に比べて高確ＲＴ遊技で大きく高まるように、当選役決定乱数が振分けられている。また、一般遊技では、非ＲＴ遊技でのみ押し順転落リプレイ役及び上昇リプレイ役に当選可能であって、該非ＲＴ遊技ではリプレイ役として押し順転落リプレイ役及び上昇リプレイ役が主な当選役となるように設定されている。この場合の押し順転落リプレイ役の当選確率は、上昇リプレイ役の当選確率に比べて高まるように、当選役決定乱数が振分けられている。また、ＢＮ遊技では、リプレイ役を抽選対象としないように当選役決定乱数が振分けられている。
【００６１】
このため、本実施形態では、リプレイ役の合算の当選確率が高確率抽選状態に設定される非ＲＴ遊技及び高確ＲＴ遊技において、再遊技が付与され易い分、遊技者の保有するメダルの消費（投入）する場面を減少させることができるといった利益を遊技者に付与することができる。さらに、これら非ＲＴ遊技及び高確ＲＴ遊技では、遊技者の保有するメダルの消費（投入）を抑えつつ、ＢＮ役の抽選を受けてメダルを増加させうるチャンスを遊技者に付与することができる。このような非ＲＴ遊技及び高確ＲＴ遊技は、一般遊技における遊技者に有利となる遊技状態（制御状態）である。
【００６２】
また、本実施形態において、図５（ｂ）に示すように、チェリー役、スイカ役、及びベル役は、一般遊技及びＢＮ遊技で当選可能であって、チェリー役の当選確率がスイカ役やベル役に比べて低くなるように、当選役決定乱数が振分けられている。
【００６３】
また、ＢＮ遊技では、ベル役の合算の当選確率が一般遊技に比して大きく高まるように当選役決定乱数が振分けられている。また、各遊技状態では、左正解ベル役、中正解ベル役、及び右正解ベル役の各当選確率が同一遊技状態であれば同一確率となるように当選役決定乱数が振分けられている。また、ＢＮ遊技では、ベル役を主な抽選対象とするように当選役決定乱数が振分けられている。
【００６４】
本実施形態では、ベル役の合算の当選確率が一般遊技に比して大きく高まるＢＮ遊技において、ベル役に当選し易く賞メダルを獲得し易い分、遊技者の保有するメダルを増加させることができるといった利益を遊技者に付与することができる。その結果、ＢＮ遊技では、遊技者の保有するメダルを増加させるチャンスを遊技者に付与することができる。
【００６５】
また、ＳＩＮ役は、一般遊技でのみ当選可能であって、当選確率がスイカ役に比べて高くベル役の合算に比べて低くなるように、当選役決定乱数が振分けられている。この場合のＳＩＮ役の当選確率は、一般遊技であれば同一確率となるように、当選役決定乱数が振分けられている。
【００６６】
なお、一般遊技では、ＢＮ役の当選確率を所定確率に定めている。本実施形態では、例えば、ＢＮ役の当選確率を１／３００（３００分の１）に定めている。また、ＢＮ遊技やＳＩＮ遊技では、ＢＮ役やリプレイ役やＳＩＮ役を役抽選の抽選対象としないことを定めている。また、後述するボーナス待機状態における当選役決定テーブルにおいては、小役の当選確率を所定確率に定めている。そして、後述するボーナス待機状態における当選役決定テーブルにおけるＢＮ役やＳＩＮ役の当選時には、その当選を他の当選役（小役又ははずれ役）の当選に置き換える（書き換える）。
【００６７】
以下、サブ制御基板４１について説明する。
サブ制御基板４１は、サブ制御用ＣＰＵ４１ａを備えており、該サブ制御用ＣＰＵ４１ａにはサブ制御用ＲＯＭ４１ｂ及びサブ制御用ＲＡＭ４１ｃが接続されている。サブ制御用ＲＯＭ４１ｂには、各種遊技演出を行うためのサブ制御プログラムが記憶されている。また、サブ制御用ＲＯＭ４１ｂには、演出表示装置１４の表示演出態様が示される表示演出パターンや、スピーカＳＰの音声出力態様が示される音声演出パターンや、枠用ランプＲや、演出用ランプＥＲの発光態様が示される発光演出パターンが記憶されている。また、サブ制御用ＲＡＭ４１ｃには、パチスロ１０の動作中に適宜書き換えられる各種情報が記憶（設定）されるようになっている。具体的には、サブ制御用ＲＡＭ４１ｃには、遊技状態に係るサブ用状態情報（フラグなど）がサブ制御用ＣＰＵ４１ａにより記憶（設定）されるようになっている。
【００６８】
以下、主制御用ＣＰＵ４０ａがメイン制御プログラムに基づき実行する変動ゲームに係る処理について説明する。
主制御用ＣＰＵ４０ａは、各種操作信号を入力すると、各種操作信号に定める所定の制御を実行する。そして、主制御用ＣＰＵ４０ａは、各種操作信号の入力や各種制御により、各種情報表示部１９の表示制御をその都度実行する。また、主制御用ＣＰＵ４０ａは、賞態様の入賞に基づいて賞メダルを払出す場合、クレジット上限枚数（本実施形態では、「５０（枚）」）を超えるとき、駆動信号をホッパー３８に出力して、駆動信号を１回出力する毎に賞メダルを１枚払出させるように制御する。なお、主制御用ＣＰＵ４０ａは、クレジットの清算時、駆動信号をホッパー３８に出力して、クレジット分のメダルを遊技者に払出させるように制御する。
【００６９】
そして、主制御用ＣＰＵ４０ａは、メダル投入口２７よりメダルが投入される、又は各ＢＥＴボタン２８，２９の操作信号を入力すると、ベット数を設定する。また、主制御用ＣＰＵ４０ａは、各ＢＥＴボタン２８，２９が操作毎に、クレジット数を更新する。また、主制御用ＣＰＵ４０ａは、メダルの投入によりクレジット数を増加させる場合、クレジット数を更新させる。そして、主制御用ＣＰＵ４０ａは、３ベットのベット数を設定するときに変動ゲームを行うことができるゲーム開始可能な状態を生起する。なお、主制御用ＣＰＵ４０ａは、直前の変動ゲームの終了からベット有効時間が経過している状態において、ベット数を設定可能な状態を生起する。
【００７０】
続いて、主制御用ＣＰＵ４０ａは、ゲーム開始可能な状態において、スタートレバー３２の操作信号を入力すると、役抽選（内部抽選）を行う。そして、主制御用ＣＰＵ４０ａは、主制御用ＲＡＭ４０ｃから当選役決定乱数の値を取得し、該値が主制御用ＲＯＭ４０ｂに記憶されている当選役決定テーブルの各当選役の値の範囲に属しているか否かを判定する役抽選を行う。役抽選において、主制御用ＣＰＵ４０ａは、遊技状態に応じた当選役決定テーブルを用いて当選役を決定する。なお、主制御用ＣＰＵ４０ａは、遊技状態を示す状態情報（フラグなど）を主制御用ＲＡＭ４０ｃに設定して遊技状態を把握している。本実施形態では、このようにして役抽選を行う主制御用ＣＰＵ４０ａが当選役決定手段として機能する。
【００７１】
そして、主制御用ＣＰＵ４０ａは、当選役を決定すると、決定した当選役の種類を示す役情報（フラグなど）を主制御用ＲＡＭ４０ｃに記憶（設定）する。主制御用ＣＰＵ４０ａは、ＢＮ役の当選の決定時、該ＢＮ役が入賞するまでの間、主制御用ＲＡＭ４０ｃのＢＮ役の役情報を持ち越すようになっている。このようにＢＮ役の役情報が持ち越されている状態は、ＢＮ役の入賞を待機しているボーナス待機状態となる。一方、主制御用ＣＰＵ４０ａは、小役やＳＩＮ役の当選の決定時、これら当選役の入賞の有無に関係なく役抽選の対象とする変動ゲーム（１回）の終了に伴って、主制御用ＲＡＭ４０ｃの小役やＳＩＮ役の役情報を消去する。
【００７２】
このため、ＢＮ役は、役抽選による当選の決定が、その入賞までの変動ゲームに跨って持越可能な役となる。一方、小役やＳＩＮ役は、役抽選による当選の決定が、１回の変動ゲームでのみ有効とされ、その入賞か否かに関係なく以後の変動ゲームに跨って持越不可能な役となる。
【００７３】
また、主制御用ＣＰＵ４０ａは、遊技者によるスタートレバー３２の操作を検出したタイミング（役抽選等の所定の処理を行った後）で、変動ゲームの開始を指示するとともに、役抽選の抽選結果及び変動ゲームが行われる遊技状態を示した変動ゲーム開始コマンドをサブ制御基板４１（サブ制御用ＣＰＵ４１ａ）に出力する。この変動ゲーム開始コマンドは、持ち越されているＢＮ役があればその役情報も合わせて指示する。なお、主制御用ＣＰＵ４０ａは、遊技者によるスタートレバー３２の操作を検出して直前の変動ゲームの終了からウェイトタイムが経過している状態において、各リールの回転動作を開始させるように各リールを制御する。また、サブ制御基板４１（サブ制御用ＣＰＵ４１ａ）への変動ゲーム開始コマンドは、各リールの回転動作の開始に合わせて出力するようにしてもよい。
【００７４】
続いて、主制御用ＣＰＵ４０ａは、遊技者の操作に基づくストップボタン３３Ｌ，３３Ｃ，３３Ｒの各種操作信号を入力すると、各種操作信号に対応するリールを停止させるための制御（停止制御）を行う。また、主制御用ＣＰＵ４０ａは、各リールに対応するリールセンサからの位置信号から、各リールの変動中には各リールの変動状況と、各リールの停止中には各リールの停止状況を把握している。なお、主制御用ＣＰＵ４０ａは、ストップボタン３３Ｌ，３３Ｃ，３３Ｒからの各種操作信号が入力されるまでの間、回転中のリールについて停止制御を行わないで回転動作を維持させる。
【００７５】
また、主制御用ＣＰＵ４０ａは、ストップボタン３３Ｌ，３３Ｃ，３３Ｒの各種操作信号を入力すると、各種操作信号をサブ制御用ＣＰＵ４１ａに出力する。このストップボタン３３Ｌ，３３Ｃ，３３Ｒの各種操作信号では、ストップボタン３３Ｌ，３３Ｃ，３３Ｒの遊技者による操作状況をサブ制御基板４１（サブ制御用ＣＰＵ４１ａ）に認識させる。
【００７６】
次に、主制御用ＣＰＵ４０ａが行う停止制御について説明する。
主制御用ＣＰＵ４０ａは、決定した当選役に基づき各ストップボタン３３Ｌ，３３Ｃ，３３Ｒが遊技者により操作されるタイミングから所定の範囲内（最大で４図柄分）で各リールを停止させて、任意の図柄の組み合わせを停止表示させる。主制御用ＣＰＵ４０ａは、回転中の各リールを停止させる場合、当選している当選役と各ストップボタン３３Ｌ，３３Ｃ，３３Ｒの操作タイミングから主制御用ＲＯＭ４０ｂに記憶される停止テーブルに基づく図柄の組み合わせを停止表示させる停止制御を行う。このため、各リールは、ストップボタン３３Ｌ，３３Ｃ，３３Ｒの遊技者による停止操作のタイミングで停止するとは限らず、遊技者による停止操作のタイミングと各リールの停止するタイミングとが一致しない場合（所謂、「すべり」）がある。例えば、「すべり」を伴う制御では、停止させる図柄に対する遊技者による停止操作のタイミングが早いとき、各リールを各リールの変動方向に強制的にすべらせて該停止させる図柄を入賞ライン上に停止させる。
【００７７】
このため、各リールでは、停止させたい種類の図柄の間に挟む他の種類の図柄が５つ以上の部分を有していなければ、すべり制御を伴う結果、何れかの入賞ライン上に停止させた種類の図柄を停止表示させることができる。一方、各リールでは、停止させたい種類の図柄の間に挟む他の種類の図柄が５つ以上の部分を有していれば、すべり制御を伴っても、何れの入賞ラインにも停止させた種類の図柄を停止表示させることができない場合がある。本実施形態では、ストップボタン３３Ｌ，３３Ｃ，３３Ｒの遊技者による停止操作に基づいて各リールの停止制御を行う主制御用ＣＰＵ４０ａが導出制御手段として機能する。
【００７８】
そして、主制御用ＣＰＵ４０ａは、ＢＮ役の当選（当選の持ち越し）時、遊技者による停止操作のタイミングが予め定めたタイミングで行われる場合、ＢＮ停止目を停止表示させる。一方、主制御用ＣＰＵ４０ａは、ＢＮ役の当選（当選の持ち越し）時、遊技者による停止操作のタイミングが予め定めたタイミングで行われない場合にはＢＮ役の当選の可能性が有ることを示す「チャンス目」を停止させる。なお、この「チャンス目」は、はずれ役の当選時には停止表示されないようになっている。この場合には、ＢＮ役の取りこぼし（役情報の持ち越し）を発生させる。
【００７９】
また、主制御用ＣＰＵ４０ａは、チェリー役の当選時、遊技者による停止操作のタイミングが予め定めたタイミングで行われる場合、チェリー停止目を停止表示させる。一方、主制御用ＣＰＵ４０ａは、チェリー役の当選時、遊技者による停止操作のタイミングが予め定めたタイミングで行われない場合、はずれ停止目を停止表示させる。この場合には、チェリー役の取りこぼしを発生させる。
【００８０】
また、主制御用ＣＰＵ４０ａは、スイカ役の当選時、遊技者による停止操作のタイミングが予め定めたタイミングで行われる場合、スイカ停止目を停止表示させる。一方、主制御用ＣＰＵ４０ａは、スイカ役の当選時、遊技者による停止操作のタイミングが予め定めたタイミングで行われない場合、はずれ停止目を停止表示させる。この場合には、スイカ役の取りこぼしを発生させる。
【００８１】
また、何れの当選役（ＢＮ役及び小役）も決定しない場合（はずれ役の当選時）、主制御用ＣＰＵ４０ａは、はずれ停止目を停止表示させる。
次に、ベル役（左正解ベル役、中正解ベル役、及び右正解ベル役）及びリプレイ役（維持リプレイ役、転落リプレイ役、及び上昇リプレイ役）の当選時における停止制御について説明する。
【００８２】
本実施形態のパチスロ１０では、「左正解ベル役」、「中正解ベル役」、及び「右正解ベル役」の当選時、３つのストップボタンのうち最初に操作されるストップボタンに基づき、ベル停止目、及びはずれ停止目のうち何れかの停止目が停止表示される。本実施形態では、何れかのベル役の当選に基づいてそれぞれに対応する正解の押し順が選択されることになる。
【００８３】
そして、左正解ベル役の当選時には、左リール１３Ｌを停止指示するストップボタン３３Ｌが最初に操作されることを、押し順正解としてベル停止目が停止表示される。一方、左正解ベル役の当選時には、左リール１３Ｌ以外を停止指示するストップボタン３３Ｃ，３３Ｒの何れかが最初に操作されることを、押し順不正解としてはずれ停止目（ベルこぼし目）が停止表示される。
【００８４】
また、中正解ベル役の当選時には、中リール１３Ｃを停止指示するストップボタン３３Ｃが最初に操作されることを、押し順正解としてベル停止目が停止表示される。一方、中正解ベル役の当選時には、中リール１３Ｃ以外を停止指示するストップボタン３３Ｌ，３３Ｒの何れかが最初に操作されることを、押し順不正解としてはずれ停止目（ベルこぼし目）が停止表示される。
【００８５】
また、右正解ベル役の当選時には、右リール１３Ｒを停止指示するストップボタン３３Ｒが最初に操作されることを、押し順正解としてベル停止目が停止表示される。一方、右正解ベル役の当選時には、右リール１３Ｒ以外を停止指示するストップボタン３３Ｌ，３３Ｃの何れかが最初に操作されることを、押し順不正解としてはずれ停止目（ベルこぼし目）が停止表示される。
【００８６】
そして、主制御用ＣＰＵ４０ａは、ベル役の当選時、押し順正解であれば、遊技者による停止操作のタイミングに関係なくベル停止目を停止表示させる。また、主制御用ＣＰＵ４０ａは、ベル役の当選時、押し順不正解であれば、遊技者による停止操作のタイミングに関係なくはずれ停止目（ベルこぼし目）を停止表示させる。なお、本実施形態では、ベルこぼし目として、予め定めた図柄の組み合わせが対応付けられている。
【００８７】
また、主制御用ＣＰＵ４０ａは、リプレイ役の当選時、当選内容に基づいて行う制御が異なる。本実施形態における主制御用ＣＰＵ４０ａは、リプレイ役の中でも入賞に関して押し順の概念を有する転落リプレイ役（不問転落リプレイ役を含む）や上昇リプレイ役の当選を決定する場合、同時に維持リプレイ役の当選を重複して決定（重複当選を決定）するようになっている。すなわち、主制御用ＣＰＵ４０ａは、リプレイ役の中でも転落リプレイ役や上昇リプレイ役の当選の決定時、転落リプレイ役と維持リプレイ役の当選を重複して示す役情報を設定したり上昇リプレイ役と維持リプレイ役の当選を重複して示す役情報を設定したりすることになる。このため、主制御用ＣＰＵ４０ａが維持リプレイ役の当選を決定する場合には、転落リプレイ役や上昇リプレイ役の当選に基づく重複当選とする時と、転落リプレイ役や上昇リプレイ役の当選に基づかない単独の当選（単独当選）とする時とがある。以下では、転落リプレイ役や上昇リプレイ役の当選と示す場合には、同時に維持リプレイ役にも当選している時を意味している。
【００８８】
そして、主制御用ＣＰＵ４０ａは、単独当選とする維持リプレイ役の当選時、遊技者による停止操作のタイミングに関係なく単独当選とする維持リプレイ役の入賞とする維持リプレイ停止目を停止表示させる。
【００８９】
また、本実施形態では、転落リプレイ役の当選時、３つのストップボタンのうち最初に操作されるストップボタンが正解となる特定の操作であれば、転落リプレイ停止目が停止表示される。本実施形態では、何れかの転落リプレイ役の当選に基づいてそれぞれに対応する正解の押し順が選択されることになる。
【００９０】
そして、左正解転落リプレイ役の当選時には、左リール１３Ｌを停止指示するストップボタン３３Ｌが最初に操作されることを、押し順正解として転落リプレイ停止目が停止表示される。
【００９１】
また、中正解転落リプレイ役の当選時には、中リール１３Ｃを停止指示するストップボタン３３Ｃが最初に操作されることを、押し順正解として転落リプレイ停止目が停止表示される。
【００９２】
また、右正解転落リプレイ役の当選時には、右リール１３Ｒを停止指示するストップボタン３３Ｒが最初に操作されることを、押し順正解として転落リプレイ停止目が停止表示される。
【００９３】
そして、主制御用ＣＰＵ４０ａは、押し順転落リプレイ役の当選時、押し順正解であれば、遊技者による停止操作のタイミングに関係なく転落リプレイ役の入賞とする転落リプレイ停止目を停止表示させる。一方、主制御用ＣＰＵ４０ａは、押し順転落リプレイ役の当選時、押し順不正解であれば、遊技者による停止操作のタイミングに関係なく重複当選とする維持リプレイ役の入賞とする維持リプレイ停止目を停止表示させる。
【００９４】
なお、主制御用ＣＰＵ４０ａは、転落リプレイ役の中でも不問転落リプレイ役の当選時、３つのストップボタンのうち最初に操作されるストップボタンに関係なく押し順正解として、遊技者による停止操作のタイミングに関係なく転落リプレイ役の入賞とする転落リプレイ停止目を停止表示させる。このような不問転落リプレイ役の当選時には、維持リプレイ役も重複当選しているが遊技者による停止操作に関係なく転落リプレイ停止目を入賞させうることから、維持リプレイ停止目が停止表示されえないことになる。
【００９５】
また、本実施形態では、上昇リプレイ役の当選時、３つのストップボタンのうち最初に操作されるストップボタンが正解となる特定の操作であれば、上昇リプレイ停止目が停止表示される。本実施形態では、何れかの上昇リプレイ役の当選に基づいてそれぞれに対応する正解の押し順が選択されることになる。
【００９６】
そして、左正解上昇リプレイ役の当選時には、左リール１３Ｌを停止指示するストップボタン３３Ｌが最初に操作されることを、押し順正解として上昇リプレイ停止目が停止表示される。
【００９７】
また、中正解上昇リプレイ役の当選時には、中リール１３Ｃを停止指示するストップボタン３３Ｃが最初に操作されることを、押し順正解として上昇リプレイ停止目が停止表示される。
【００９８】
また、右正解上昇リプレイ役の当選時には、右リール１３Ｒを停止指示するストップボタン３３Ｒが最初に操作されることを、押し順正解として上昇リプレイ停止目が停止表示される。
【００９９】
そして、主制御用ＣＰＵ４０ａは、上昇リプレイ役の当選時、押し順正解であれば、遊技者による停止操作のタイミングに関係なく上昇リプレイ役の入賞とする上昇リプレイ停止目を停止表示させる。一方、主制御用ＣＰＵ４０ａは、上昇リプレイ役の当選時、押し順不正解であれば、遊技者による停止操作のタイミングに関係なく重複当選とする維持リプレイ役の入賞とする維持リプレイ停止目を停止表示させる。
【０１００】
また、主制御用ＣＰＵ４０ａは、ＳＩＮ役の当選時、遊技者による停止操作のタイミングが予め定めたタイミングで行われる場合、ＳＩＮ停止目を停止表示させる。一方、主制御用ＣＰＵ４０ａは、ＳＩＮ役の当選時、遊技者による停止操作のタイミングが予め定めたタイミングで行われない場合、ＳＩＮこぼし停止目を停止表示させる。この場合には、ＳＩＮ役の取りこぼしを発生させる。このため、本実施形態では、ＳＩＮ役の当選時、ＳＩＮこぼし停止目の停止表示によりＳＩＮ役の取りこぼしを遊技者に把握させうる。
【０１０１】
なお、本実施形態では、ＳＩＮ停止目を構成する各列の図柄を各リールの配列のうち１図柄のみとしている。このため、ＳＩＮ役の当選時には、すべり制御を伴って各列にＳＩＮ停止目に対応する図柄が停止表示されるタイミングで停止操作が行われる場合にのみＳＩＮ停止目が停止表示されうる。一方、ＳＩＮ役の当選時には、すべり制御を伴っても各列にＳＩＮ停止目に対応する図柄の何れも停止表示されないタイミングで停止操作が行われることでＳＩＮ停止目の停止表示が回避されてＳＩＮこぼし停止目が停止表示されうる。なお、本実施形態では、左リール１３Ｌに関しては［チェリー］を停止表示させるタイミングで停止操作が行われる場合にＳＩＮ停止目の停止表示を回避可能に構成されている。
【０１０２】
続いて、主制御用ＣＰＵ４０ａは、各リールの全てを停止させて図柄の組み合わせを停止表示させると入賞判定を行う。この場合に主制御用ＣＰＵ４０ａは、主制御用ＲＡＭ４０ｃから役情報を読み出し、読み出した役情報（当選役）に対応する図柄の組み合わせが入賞ライン上に停止表示されているかを判定する入賞判定を行う。また、入賞判定において主制御用ＣＰＵ４０ａは、各リールの停止に伴って入力する位置信号から入賞ライン上に停止表示した図柄の組み合わせがどのような組み合わせであるかを特定し、その組み合わせが役情報（当選役）に対応する賞態様であるか否かを判定する。なお、主制御用ＣＰＵ４０ａは、入賞ライン上に停止表示した図柄の組み合わせが役情報（当選役）に対応する賞態様である場合に入賞（肯定）と判定する一方、役情報（当選役）に対応する賞態様でない場合に非入賞（否定）と判定する。
【０１０３】
そして、主制御用ＣＰＵ４０ａは、入賞判定で入賞と判定すると賞態様に応じた制御を行う。この場合に主制御用ＣＰＵ４０ａは、賞態様に応じて遊技状態を移行させる制御や賞メダルを払出す制御を行う。また、主制御用ＣＰＵ４０ａは、入賞判定により入賞を判定する場合、入賞とした旨を示す入賞指示コマンドをサブ制御基板４１（サブ制御用ＣＰＵ４１ａ）に出力する。この入賞指示コマンドでは、変動ゲーム開始コマンドで指示される当選役が入賞したことをサブ制御基板４１（サブ制御用ＣＰＵ４１ａ）に認識させる。また、この入賞指示コマンドでは、入賞とともに何れの停止目によって入賞したか（賞態様）に関してもサブ制御基板４１（サブ制御用ＣＰＵ４１ａ）に認識させる。
【０１０４】
そして、ＢＮ役の入賞を判定する場合、主制御用ＣＰＵ４０ａは、次の変動ゲームからＢＮ遊技に移行させる遊技状態の制御を行う。すなわち、主制御用ＣＰＵ４０ａは、ＢＮ遊技制御を行う。このＢＮ遊技制御において、主制御用ＣＰＵ４０ａは、ＢＮ遊技の開始後、１回目の変動ゲームから遊技者に付与した（払出した）賞メダルのＢＮ払出枚数のカウントを開始する。また、このＢＮ遊技制御において、主制御用ＣＰＵ４０ａは、ＢＮ遊技の変動ゲームで賞メダルを遊技者に付与する毎にＢＮ払出枚数を加算して更新する。なお、このＢＮ遊技制御において、主制御用ＣＰＵ４０ａは、ＢＮ払出枚数が最大払出数（本実施形態では３６０）を超える変動ゲームの終了に伴ってＢＮ遊技を終了させる。
【０１０５】
また、チェリー役の入賞を判定する場合、主制御用ＣＰＵ４０ａは、２枚の賞メダルを払出す制御を行う。一方、主制御用ＣＰＵ４０ａは、チェリー役の当選時にはずれ停止目に基づいてチェリー役の入賞を判定しない場合（チェリー役の取りこぼしを判定する場合）、１枚以上の賞メダルを付与しない制御を行う。
【０１０６】
また、主制御用ＣＰＵ４０ａは、スイカ役の入賞を判定する場合、６枚の賞メダルを払出す制御を行う。一方、主制御用ＣＰＵ４０ａは、スイカ役の当選時にはずれ停止目に基づいてスイカ役の入賞を判定しない場合（スイカ役の取りこぼしを判定する場合）、１枚以上の賞メダルを付与しない制御を行う。
【０１０７】
また、主制御用ＣＰＵ４０ａは、ベル役の入賞を判定する場合、９枚の賞メダルを払出す制御を行う。一方、主制御用ＣＰＵ４０ａは、ベル役の当選時にはずれ停止目に基づいてベル役の入賞を判定しない場合（ベル役の取りこぼしを判定する場合）、１枚以上の賞メダルを付与しない制御を行う。
【０１０８】
また、主制御用ＣＰＵ４０ａは、維持リプレイ役（単独当選又は重複当選）の入賞を判定する場合、次の変動ゲームを再遊技させるための制御を行う。再遊技させるための制御において、主制御用ＣＰＵ４０ａは、入賞を判定した変動ゲームと同一のベット数を設定する。なお、後述するようにこの場合に主制御用ＣＰＵ４０ａは、入賞を判定した変動ゲームの遊技状態を継続させる制御も合わせて行うことになる。
【０１０９】
また、主制御用ＣＰＵ４０ａは、転落リプレイ役の入賞を判定する場合、次の変動ゲームを再遊技させるための制御を行う。なお、後述するようにこの場合に主制御用ＣＰＵ４０ａは、非ＲＴ遊技であれば該非ＲＴ遊技を終了させて次の変動ゲームから低確ＲＴ遊技に移行させる遊技状態の制御も合わせて行う一方、低確ＲＴ遊技や高確ＲＴ遊技であれば入賞時の遊技状態を継続させる制御も合わせて行うことになる。
【０１１０】
また、主制御用ＣＰＵ４０ａは、上昇リプレイ役の入賞を判定する場合、次の変動ゲームを再遊技させるための制御を行う。なお、後述するようにこの場合に主制御用ＣＰＵ４０ａは、非ＲＴ遊技であれば該非ＲＴ遊技を終了させて次の変動ゲームから高確ＲＴ遊技に移行させる遊技状態の制御も合わせて行うことになる。
【０１１１】
また、主制御用ＣＰＵ４０ａは、ＳＩＮ役の入賞を判定する場合、次の１回の変動ゲームを対象としてＳＩＮ遊技に移行させる遊技状態の制御を行う。そして、主制御用ＣＰＵ４０ａは、ＳＩＮ遊技制御を行う。ＳＩＮ遊技制御において、主制御用ＣＰＵ４０ａは、ＳＩＮ遊技の対象となる１回の変動ゲームの終了に伴ってＳＩＮ遊技を終了させる。なお、この場合に主制御用ＣＰＵ４０ａは、ＳＩＮ遊技も含めて該ＳＩＮ遊技の契機となったＳＩＮ役の入賞時の遊技状態となるように制御する。
【０１１２】
また、主制御用ＣＰＵ４０ａは、ＳＩＮ役の当選時にＳＩＮこぼし停止目に基づいてＳＩＮ役の入賞を判定しない場合（ＳＩＮ役の取りこぼしを判定する場合）、１枚以上の賞メダルを付与しない制御を行う。なお、後述するようにこの場合に主制御用ＣＰＵ４０ａは、ＢＮ後ＲＴ遊技中であれば該ＢＮ後ＲＴ遊技を終了させて次の変動ゲームから非ＲＴ遊技に移行させる遊技状態の制御も合わせて行う一方、他の遊技状態であれば入賞時の遊技状態を継続させる制御も合わせて行うことになる。
【０１１３】
次に、主制御用ＣＰＵ４０ａが遊技状態に応じた変動ゲームに基づいて制御する遊技状態の移行の態様を図６に基づき説明する。
主制御用ＣＰＵ４０ａは、遊技状態を移行させる場合、移行先の遊技状態を示す状態指示コマンドをサブ制御基板４１（サブ制御用ＣＰＵ４１ａ）に出力する。この状態指示コマンドでは、主制御用ＣＰＵ４０ａで管理している遊技状態が何れの状態であるかをサブ制御基板４１（サブ制御用ＣＰＵ４１ａ）に認識させる。
【０１１４】
そして、主制御用ＣＰＵ４０ａは、一般遊技で当選したＢＮ役の入賞（ＢＮ入賞）を契機として次の変動ゲームからＢＮ遊技（ＢＮ）に移行させる。この場合に主制御用ＣＰＵ４０ａは、ＢＮ遊技の終了を契機に、当選時の遊技状態に関係なく次の変動ゲームからＢＮ後ＲＴ遊技に移行させる。
【０１１５】
また、ＢＮ後ＲＴ遊技の制御中、主制御用ＣＰＵ４０ａは、ＳＩＮ役に当選してＳＩＮ役の取りこぼしに基づくＳＩＮこぼし停止目（ＳＩＮこぼし）の停止表示を契機として次の変動ゲームから非ＲＴ遊技に移行させる。なお、ＢＮ後ＲＴ遊技の制御中、主制御用ＣＰＵ４０ａは、ＳＩＮ役に当選してＳＩＮ役の入賞に基づくＳＩＮ停止目（ＳＩＮ）の停止表示によっては次の変動ゲームからもＢＮ後ＲＴ遊技を継続させる。また、ＢＮ後ＲＴ遊技の制御中、主制御用ＣＰＵ４０ａは、維持リプレイ役に当選して維持リプレイ役の入賞に基づく維持リプレイ停止目の停止表示によっては次の変動ゲームからもＢＮ後ＲＴ遊技を継続させる。
【０１１６】
ＢＮ後ＲＴ遊技は、ＳＩＮ役の取りこぼしの発生がなければ次のボーナス役の当選まで継続されることから、ＢＮ後ＲＴ遊技で制御する変動ゲームの回数に関してはその上限を設けない所謂、「無限」ということになる。一方、ＢＮ後ＲＴ遊技では、ＳＩＮ取りこぼしの発生がなければ非ＲＴ遊技や高確ＲＴ遊技にも移行しえないことになる。
【０１１７】
また、非ＲＴ遊技の制御中、主制御用ＣＰＵ４０ａは、転落リプレイ役に当選して押し順正解による該転落リプレイ役の入賞に基づく転落リプレイ停止目（転落）の停止表示を契機として次の変動ゲームから低確ＲＴ遊技に移行させる。また、非ＲＴ遊技の制御中、主制御用ＣＰＵ４０ａは、上昇リプレイ役に当選して押し順正解による該上昇リプレイ役の入賞に基づく上昇リプレイ停止目（上昇）の停止表示を契機として次の変動ゲームから高確ＲＴ遊技に移行させる。なお、非ＲＴ遊技の制御中、主制御用ＣＰＵ４０ａは、転落リプレイ役や上昇リプレイ役に当選して押し順不正解による維持リプレイ役の入賞に基づく維持リプレイ停止目の停止表示によっては次の変動ゲームからも非ＲＴ遊技を継続させる。また、非ＲＴ遊技の制御中、主制御用ＣＰＵ４０ａは、ＳＩＮ役に当選してＳＩＮ役が入賞するか否かに関係なく非ＲＴ遊技を継続させる。
【０１１８】
非ＲＴ遊技は、転落リプレイ役や上昇リプレイ役に当選して押し順正解の発生がなければ次のボーナス役の当選まで付与されることになる。このため、非ＲＴ遊技では、転落リプレイ役に当選して押し順正解を回避する一方、上昇リプレイ役に当選して押し順正解することで、高確ＲＴ遊技に移行しうることになる。
【０１１９】
また、低確ＲＴ遊技の制御中、主制御用ＣＰＵ４０ａは、低確ＲＴ遊技での変動ゲームを３２回行わせる間、低確ＲＴ遊技を継続させるとともに、低確ＲＴ遊技での変動ゲームを３２回行わせたことを契機として次の変動ゲームから非ＲＴ遊技に移行させる。なお、低確ＲＴ遊技の制御中、主制御用ＣＰＵ４０ａは、不問転落リプレイ役に当選して押し順正解による該転落リプレイ役の入賞に基づく転落リプレイ停止目の停止表示によっては次の変動ゲームからも低確ＲＴ遊技を継続させる。また、低確ＲＴ遊技の制御中、主制御用ＣＰＵ４０ａは、低確ＲＴ遊技での変動ゲームの３２回目となる場合を除いて、ＳＩＮ役に当選してＳＩＮ役が入賞するか否かに関係なく低確ＲＴ遊技を継続させる。
【０１２０】
低確ＲＴ遊技の制御中、主制御用ＣＰＵ４０ａは、低確ＲＴ遊技に制御してからＳＩＮ遊技も含めて行った変動ゲームの実行回数のカウントを開始し、該実行回数により非ＲＴ遊技への移行の契機を把握する。なお、この実行回数は、ＢＮ遊技の当選後、ＢＮ後ＲＴ遊技への移行に伴いクリア（消去）される。
【０１２１】
低確ＲＴ遊技は、低確ＲＴ遊技で制御する変動ゲームの回数に関してはその上限が有限の「３２回」ということになる。このため、低確ＲＴ遊技では、３２回の変動ゲームを経ることで非ＲＴ遊技に移行して高確ＲＴ遊技に移行するチャンスのある状態へと移行する。
【０１２２】
また、高確ＲＴ遊技の制御中、主制御用ＣＰＵ４０ａは、高確ＲＴ遊技での変動ゲームを所定回数としての３０回行わせる間、高確ＲＴ遊技を継続させるとともに、高確ＲＴ遊技での変動ゲームを３０回行わせたことを契機として次の変動ゲームから非ＲＴ遊技に移行させる。なお、高確ＲＴ遊技の制御中、主制御用ＣＰＵ４０ａは、不問転落リプレイ役に当選して押し順正解による該転落リプレイ役の入賞に基づく転落リプレイ停止目の停止表示によっては次の変動ゲームからも高確ＲＴ遊技を継続させる。また、高確ＲＴ遊技の制御中、主制御用ＣＰＵ４０ａは、高確ＲＴ遊技での変動ゲームの３０回目となる場合を除いて、ＳＩＮ役に当選してＳＩＮ役が入賞するか否かに関係なく高確ＲＴ遊技を継続させる。
【０１２３】
高確ＲＴ遊技の制御中、主制御用ＣＰＵ４０ａは、高確ＲＴ遊技に制御してからＳＩＮ遊技も含めて行った変動ゲームの実行回数のカウントを開始し、該実行回数により非ＲＴ遊技への移行の契機を把握する。なお、この実行回数は、ＢＮ遊技の当選後、ＢＮ後ＲＴ遊技への移行に伴いクリア（消去）される。
【０１２４】
高確ＲＴ遊技は、高確ＲＴ遊技で制御する変動ゲームの回数に関してはその上限が有限の「３０回」ということになる。このため、高確ＲＴ遊技は、３０回の変動ゲームを経ることで非ＲＴ遊技に移行して再び高確ＲＴ遊技に移行するチャンスのある状態へと移行する。
【０１２５】
本実施形態では、高確ＲＴ遊技と非ＲＴ遊技とを比較すると、共にリプレイ役の合算の当選確率が高確率抽選状態である一方で、これらの遊技状態を継続可能とする条件を異ならせている。高確ＲＴ遊技は、一旦開始されれば途中にＢＮ役に当選する場合を除いて少なくとも３０回の変動ゲームに跨って継続される。一方、非ＲＴ遊技は、一旦開始されれば途中にＢＮ役に当選する場合を除いて転落リプレイ停止目又は上昇リプレイ停止目が停止表示されるまでの変動ゲームに跨って継続される。なお、非ＲＴ遊技では、上昇リプレイ役に比べて転落リプレイ役に当選し易いことに加えて、該転落リプレイ役に当選して押し順正解に約１／５で低確ＲＴ遊技へと移行しうることから、高確ＲＴ遊技に比べて継続され難くなっている。
【０１２６】
本実施形態では、このように遊技状態の移行を制御する主制御用ＣＰＵ４０ａが、遊技状態制御手段として機能する。また、本実施形態では、遊技状態として他に比べて遊技者にとって不利となる低確ＲＴ遊技が通常遊技状態に相当する一方、遊技状態として低確ＲＴ遊技に比べて遊技者にとって有利な状態となる高確ＲＴ遊技が有利遊技状態に相当する。また、本実施形態では、低確ＲＴ遊技から移行可能であるとともに高確ＲＴ遊技へと移行可能な非ＲＴ遊技が有利準備遊技状態に相当する。また、本実施形態では、低確ＲＴ遊技で３２回の変動ゲームを経ることが通常時移行条件が成立したときに相当する。また、本実施形態では、非ＲＴ遊技で転落リプレイ役又は上昇リプレイ役に当選したときを準備時移行条件が成立したときとするとともに、非ＲＴ遊技で転落リプレイ役の当選に基づき転落リプレイ停止目の停止表示が不利移行表示結果に相当する。また、本実施形態では、非ＲＴ遊技で上昇リプレイ役の当選に基づき上昇リプレイ停止目の停止表示が有利移行表示結果に相当する。
【０１２７】
また、本実施形態では、特別入賞役に相当するＢＮ役の入賞により生起されるＢＮ遊技が特別遊技状態に相当する。また、本実施形態では、遊技状態として他に比べて遊技者にとって有利となる高確ＲＴ遊技と該高確ＲＴ遊技への移行に繋がる低確ＲＴ遊技と非ＲＴ遊技とが特殊遊技状態に相当する。また、本実施形態では、ＢＮ遊技の終了後から移行可能であるとともに高確ＲＴ遊技への移行に繋がる非ＲＴ遊技へと移行可能なＢＮ後ＲＴ遊技が特殊準備遊技状態に相当する。また、本実施形態では、ＢＮ後ＲＴ遊技でＳＩＮ役の当選に基づきＳＩＮこぼし停止目の停止表示が準備時移行表示結果に相当する。
【０１２８】
次に、サブ制御用ＣＰＵ４１ａがサブ制御プログラムに基づき実行する変動ゲームに係る処理について説明する。
サブ制御用ＣＰＵ４１ａは、変動ゲーム開始コマンドや入賞指示コマンドの各種コマンドを入力すると、該コマンドに指示される内容に基づいて各種演出を実行させるように演出表示装置１４の表示内容などを制御する。また、サブ制御用ＣＰＵ４１ａは、状態指示コマンドを入力すると、遊技状態が何れの遊技状態に制御されているかを示すサブ用状態情報をサブ制御用ＲＡＭ４１ｃに記憶（設定）する。なお、サブ制御用ＣＰＵ４１ａは、サブ用状態情報を設定して主制御用ＣＰＵ４０ａが制御している遊技状態を把握している。また、サブ制御用ＣＰＵ４１ａは、変動ゲーム開始コマンドが入力される毎に各種演出に係る制御を行うようになっている。
【０１２９】
そして、サブ制御用ＣＰＵ４１ａは、演出表示装置１４の演出状態を、主制御用ＣＰＵ４０ａが制御している遊技状態に応じて制御するようになっている。なお、遊技者は、演出表示装置１４の演出状態に応じて変動ゲームを行うことになる。このような演出状態では、その種類から遊技状態を遊技者に把握させたり、遊技者が遊技を有利に行うことができるような演出を行ったりするようになっている。本実施形態における演出状態は、図７に示すように、複数種類に分類されている。
【０１３０】
そして、演出状態には、遊技状態が高確ＲＴ遊技である場合に行なわれるＡＲＴモードがある。この場合に演出表示装置１４では、ＡＲＴモード用の表示画面が画像表示される。ＡＲＴモードは、高確ＲＴ遊技であることが報知される状態である。また、ＡＲＴモードは、ベル役の入賞を補助する演出が行われることで賞メダルを増やすチャンスの状態である。なお、本実施形態では、遊技状態の高確ＲＴ遊技の移行と演出状態のＡＲＴモードの移行とが同期して制御される。
【０１３１】
また、演出状態には、遊技状態が低確ＲＴ遊技又は非ＲＴ遊技である場合に行われうる通常モードがある。通常モードの場合に演出表示装置１４では、通常モード用の表示画面が画像表示される。通常モードは、高確ＲＴ遊技へと繋がるチャンスを手に入れうることが報知される状態である。また、通常モードは、ベル役の入賞を困難とするように演出を行うことで賞メダルを増やし難い状態である。
【０１３２】
また、演出状態には、遊技状態が低確ＲＴ遊技又は非ＲＴ遊技である場合に行われうる高確モードがある。高確モードの場合に演出表示装置１４では、高確モード用の表示画面が画像表示される。高確モードは、高確ＲＴ遊技へと繋がるチャンスを手に入れうることが報知される状態である。また、高確モードは、高確ＲＴ遊技へと繋がるチャンスを手に入れる期待が通常モードに比べて高い状態である。また、高確モードは、ベル役の入賞を困難とするように演出を行うことで賞メダルを増やし難い状態である。
【０１３３】
また、演出状態には、遊技状態が非ＲＴ遊技である場合に行なわれるナビなし確変モードがある。ナビなし確変モードの場合に演出表示装置１４では、ナビなし確変モード用の表示画面が画像表示される。ナビなし確変モードは、高確ＲＴ遊技へと繋がるチャンスが与えられていることが報知される状態である。また、ナビなし確変モードは、遊技者が自力で高確ＲＴ遊技への移行を手に入れうる状態である。また、ナビなし確変モードは、ベル役の入賞を補助する演出が行われることで賞メダルを増やすチャンスの状態である。
【０１３４】
また、演出状態には、遊技状態が非ＲＴ遊技である場合に行なわれる確変モードがある。確変モードの場合に演出表示装置１４では、確変モード用の表示画面が画像表示される。確変モードは、高確ＲＴ遊技へと繋がるチャンスが与えられていることが報知される状態である。また、確変モードは、高確ＲＴ遊技への移行が補助されることで、遊技者を高確ＲＴ遊技へと導く状態である。また、この確変モードは、ベル役の入賞を補助する演出が行われることで賞メダルを増やすチャンスの状態である。
【０１３５】
また、演出状態には、遊技状態がＢＮ後ＲＴ遊技である場合に行なわれるＢＮ後モードがある。ＢＮ後モードの場合に演出表示装置１４では、ＢＮ後モード用の表示画面が画像表示される。このＢＮ後モードは、高確ＲＴ遊技へと繋がるチャンスが与えられていないことが報知される状態である。また、ＢＮ後モードは、ベル役の入賞を困難とするように演出を行うことで賞メダルを増やし難い状態である。
【０１３６】
また、演出状態には、遊技状態がＢＮ後ＲＴ遊技である場合に行なわれるＢＮ後確変モードがある。ＢＮ後確変モードの場合に演出表示装置１４では、ＢＮ後確変モード用の表示画面が画像表示される。ＢＮ後確変モードは、高確ＲＴ遊技へと繋がるチャンスが与えられる確変モードにいずれ移行する状態である。また、ＢＮ後確変モードは、ベル役の入賞を補助する演出が行われることで賞メダルを増やすチャンスの状態である。
【０１３７】
また、演出状態には、遊技状態がＢＮ遊技である場合に行われるＢＮ演出状態（ＢＮ中）がある。この場合に演出表示装置１４では、ＢＮ演出状態用の表示画面が画像表示される。
【０１３８】
本実施形態において、サブ制御用ＣＰＵ４１ａは、サブ制御用ＲＡＭ４１ｃに演出状態の種類を示す演出フラグ（情報）を設定することで、制御している演出状態を把握する。そして、サブ制御用ＣＰＵ４１ａは、演出フラグに対応する背景画像用の画像表示用データを選択するとともに、この選択した画像表示用データをもとに演出表示装置１４の表示内容（表示画面）を制御する。
【０１３９】
以下、各演出状態における制御内容について、演出表示装置１４における表示演出と合わせて説明する。
サブ制御用ＣＰＵ４１ａは、これから説明する各演出状態での制御を行う結果、図７に示す態様で演出状態を移行させるように制御する。
【０１４０】
最初に、通常モード又は高確モード（以下、「一般モード」という）における制御内容について説明する。
サブ制御用ＣＰＵ４１ａは、遊技状態が低確ＲＴ遊技又は非ＲＴ遊技である場合、一般モードに制御する。なお、サブ制御用ＣＰＵ４１ａは、遊技状態が非ＲＴ遊技である場合、一般モード以外に制御するときがある。
【０１４１】
サブ制御用ＣＰＵ４１ａが一般モードに制御している間、遊技状態が低確ＲＴ遊技と非ＲＴ遊技とを行き来することになる。すなわち、通常モードの制御中、低確ＲＴ遊技での変動ゲームが３２回行われたことで遊技状態が非ＲＴ遊技に移行する場合には、非ＲＴ遊技における通常モードで変動ゲームが行われる。また、通常モードの制御中、非ＲＴ遊技で転落リプレイ役が入賞（転落）することで遊技状態が低確ＲＴ遊技に移行する場合には、低確ＲＴ遊技における通常モードで変動ゲームが行われる。また、高確モードの制御中、低確ＲＴ遊技での変動ゲームが３２回行われたことで遊技状態が非ＲＴ遊技に移行する場合には、非ＲＴ遊技における高確モードで変動ゲームが行われる。また、高確モードの制御中、非ＲＴ遊技で転落リプレイ役が入賞（転落）することで遊技状態が低確ＲＴ遊技に移行する場合には、低確ＲＴ遊技における高確モードで変動ゲームが行われる。
【０１４２】
また、サブ制御用ＣＰＵ４１ａは、一般モードの制御中、当選役の当選及び入賞の指示に基づいた処理を行う。なお、低確ＲＴ遊技の一般モードの制御中には、ＢＮ役、チェリー役、スイカ役、ベル役、転落リプレイ役、ＳＩＮ役の当選及び入賞が指示されうる。また、非ＲＴ遊技の一般モードの制御中には、ＢＮ役、チェリー役、スイカ役、ベル役、転落リプレイ役、上昇リプレイ役、ＳＩＮ役の当選及び入賞が指示されうる。
【０１４３】
そして、サブ制御用ＣＰＵ４１ａは、一般モードの制御中、ＢＮ役の入賞が指示される場合、ＢＮ演出状態に移行させるように制御する。これに合わせて遊技状態は、ＢＮ遊技に移行している。
【０１４４】
また、サブ制御用ＣＰＵ４１ａは、小役の中でも入賞に際してストップボタンの押し順を要するベル役の当選が指示される場合、押し順正解をナビゲート（ナビ）するような演出を行わせないように演出表示装置１４を制御する。すなわち、一般モードの制御中には、ベル役の入賞を困難とするように演出が行われる。このため、一般モードの制御中、遊技者はベル役の当選時にたまたま押し順正解となる場面でこれを入賞させうる。
【０１４５】
また、サブ制御用ＣＰＵ４１ａは、小役の中でも入賞に際してストップボタンの押し順を要する転落リプレイ役及び上昇リプレイ役の当選が指示される場合、転落リプレイ役の押し順正解の回避や上昇リプレイ役の押し順正解をナビゲート（ナビ）するような演出を行わせないように演出表示装置１４を制御する。なお、本実施形態では、一般モードの制御中、転落リプレイ役及び上昇リプレイ役の当選に関しても積極的に報知しない構成を採用している。すなわち、一般モードの制御中には、転落リプレイ役の入賞の回避や上昇リプレイ役の入賞を困難とするように演出が行われる。このため、一般モードの制御中、転落リプレイ役の当選時にたまたま押し順不正解となる場面でこれの入賞を回避するとともに、上昇リプレイ役の当選時にたまたま押し順正解となる場面でこれを入賞させうる。なお、本実施形態では、転落リプレイ役及び上昇リプレイ役に非ＲＴ遊技における一般モードで当選しうる。このようにサブ制御用ＣＰＵ４１ａは、一般モードの制御中、たまたま上昇リプレイ役の入賞（上昇）が指示される場合、ＡＲＴモードに移行するように制御する。これに合わせて遊技状態は、高確ＲＴ遊技に移行している。
【０１４６】
また、サブ制御用ＣＰＵ４１ａは、一般モードの制御中、小役の中でもチェリー役、スイカ役、又はＳＩＮ役の当選が指示される場合、ＡＲＴ移行抽選を行うようになっている。このＡＲＴ移行抽選は、一般モード毎に指示される当選役に基づいて所定の当選確率となるように、「通常モード」、「高確モード」、「確変１０」、「確変３０」、「確変５０」の何れかに乱数を振分けて行われる。
【０１４７】
そして、ＡＲＴ移行抽選の結果が「通常モード」では制御中の一般モードから通常モードに移行される一方、ＡＲＴ移行抽選の結果が「高確モード」では制御中の一般モードから高確モードへと状態が移行される。また、ＡＲＴ移行抽選の結果が「確変１０」、「確変３０」、「確変５０」の何れかでは、制御中の一般モードからそれぞれに定めた確変回数とする確変モードへと状態が移行されるようになる。なお、「確変１０」では、確変回数が「１０回」であって少なくとも１０回の変動ゲームを対象に制御する確変モードへと状態が移行されるようになる。また、「確変３０」では、確変回数が「３０回」であって少なくとも３０回の変動ゲームを対象に制御する確変モードへと状態が移行されるようになる。また、「確変５０」では、確変回数が「５０回」であって少なくとも５０回の変動ゲームを対象に制御する確変モードへと状態が移行されるようになる。
【０１４８】
なお、サブ制御用ＣＰＵ４１ａは、ＡＲＴ移行抽選や後述する各抽選に用いる乱数の値を所定の周期毎に更新する乱数更新処理（乱数生成処理）を実行する。また、これら各抽選に用いる乱数は、所定の周期毎に更新され、サブ制御用ＲＡＭ４１ｃに記憶されている。そして、サブ制御用ＣＰＵ４１ａは、各種抽選を行う際にその抽選で用いる乱数をサブ制御用ＲＡＭ４１ｃから取得し、該取得した乱数に基づき乱数抽選を行う。
【０１４９】
このようなＡＲＴ移行抽選では、通常モードの制御中、ＳＩＮ役の当選ではモードの移行を伴わない一方、スイカ役の当選＜チェリー役の当選の順に高確モード及び確変モードに移行し易くなっている。また、ＡＲＴ移行抽選では、高確モードの制御中、ＳＩＮ役の当選では略均等に通常モード及び高確モードの何れかに移行する一方、スイカ役の当選＜チェリー役の当選の順に高確モード及び確変モードに移行し易い且つ確変モードの中でも確変回数の多い確変モードに移行し易くなっている。また、ＡＲＴ移行抽選では、通常モードの制御中＜高確モードの制御中の順に高確モード及び確変モードに移行し易い且つ確変モードの中でも確変回数の多い確変モードに移行し易くなっている。
【０１５０】
また、サブ制御用ＣＰＵ４１ａは、ＡＲＴ移行抽選の結果が確変１０，３０，５０の場合、該結果に基づく確変回数を示す情報（図７では「確Ｇ」と示す）をサブ制御用ＲＡＭ４１ｃに記憶（設定）する。この場合にサブ制御用ＣＰＵ４１ａは、確変回数をセットしていない「０（零）」であれば（確Ｇ＝０）、ＡＲＴ移行抽選の結果に基づく確変回数となるようにサブ制御用ＲＡＭ４１ｃの記憶内容を更新する。一方、サブ制御用ＣＰＵ４１ａは、確変回数をセットしている「０（零）」以外であれば（確Ｇ＞０）、ＡＲＴ移行抽選の結果に基づく確変回数を既に記憶されている回数を加算して上乗せするように更新する。なお、確変回数を示す情報は、途中にＢＮ遊技や他の演出状態への移行を挟んだとしても継続して記憶保持される。本実施形態で確変回数がセットされていないとは確変回数に「０（零）」が記憶されていることを意味し、確変回数がセットされているとは確変回数に「０（零）」以外が記憶されていることを意味する。
【０１５１】
サブ制御用ＣＰＵ４１ａは、低確ＲＴ遊技における一般モードで確変回数をセットしている場合、該低確ＲＴ遊技での変動ゲームが３２回行われたことで非ＲＴ遊技への移行が指示されることを契機に（３２回＋「確Ｇ＞０」）、該非ＲＴ遊技での変動ゲームから確変モードに移行させるように制御する。また、サブ制御用ＣＰＵ４１ａは、非ＲＴ遊技における一般モードで確変回数をセットした後（「確Ｇ＞０」）、次の変動ゲームから確変モードに移行させるように制御する。
【０１５２】
このようにサブ制御用ＣＰＵ４１ａが一般モードに制御している間、ＡＲＴ移行抽選を経て一般モードにおける通常モードと高確モードとの間を行き来することになる。また、サブ制御用ＣＰＵ４１ａが一般モードに制御している間、ＡＲＴ移行抽選を経て一般モードから確変モードへと移行することになる。
【０１５３】
次に、確変モードにおける制御内容について説明する。
サブ制御用ＣＰＵ４１ａは、遊技状態が非ＲＴ遊技であって確変回数をセットしている場合、確変モードに制御する。
【０１５４】
また、サブ制御用ＣＰＵ４１ａは、確変モードの制御中、当選役の当選及び入賞の指示に基づいた処理を行う。なお、非ＲＴ遊技である確変モードの制御中には、ＢＮ役、チェリー役、スイカ役、ベル役、転落リプレイ役、上昇リプレイ役、ＳＩＮ役の当選及び入賞が指示されうる。
【０１５５】
そして、サブ制御用ＣＰＵ４１ａは、確変モードの制御中、ＢＮ役の入賞が指示される場合、ＢＮ演出状態に移行させるように制御する。これに合わせて遊技状態は、ＢＮ遊技に移行している。
【０１５６】
また、サブ制御用ＣＰＵ４１ａは、確変モードの制御中、小役の中でも入賞に際してストップボタンの押し順を要するベル役の当選が指示される場合、押し順正解をナビゲート（ナビ）する「ベルナビ演出」を行わせる。すなわち、確変モードの制御中には、ベル役の入賞を補助（アシスト）する演出が行われる。このため、確変モードの制御中、遊技者のベル役の入賞が補助される。
【０１５７】
ベルナビ演出は、演出表示装置１４で行われる。演出表示装置１４では、図８（ａ）に示すように、ストップボタンを模した画像を３つ並べて表示させるとともに、３つのうちの一つに対して「１」の数字を付す態様で行われる。図８（ａ）の例では、３つのうち真ん中に「１」が付されていることから、ストップボタン３３Ｃを最初に操作すべきことを遊技者に把握させる。
【０１５８】
このようにしてサブ制御用ＣＰＵ４１ａは、変動ゲームの開始に伴ってベルナビ演出を行わせるように演出表示装置１４の表示内容を制御する。ベルナビ演出では、当選したベル役に基づく押し順正解を報知する内容で行われる。例えば、ベルナビ演出では、中正解ベル役の当選が指定されていれば、ストップボタン３３Ｃを最初に操作する内容で行われる。
【０１５９】
また、サブ制御用ＣＰＵ４１ａは、確変モードの制御中、転落リプレイ役の当選が指示される場合、転落リプレイ役の入賞を回避させるための押し順不正解となる操作方法（ストップボタンの押し順）をナビゲート（ナビ）する「転落リプナビ演出」を行わせる。
【０１６０】
本実施形態における転落リプナビ演出は、演出表示装置１４で行われるとともに、ベルナビ演出と同様の態様で行われる。そして、サブ制御用ＣＰＵ４１ａは、変動ゲームの開始に伴って転落リプナビ演出を行わせるように演出表示装置１４の表示内容を制御する。転落リプナビ演出では、当選した転落リプレイ役に基づく押し順不正解を報知する内容で行われる。例えば、転落リプナビ演出では、中正解転落リプレイ役の当選が指定されていれば、ストップボタン３３Ｌ又はストップボタン３３Ｒを最初に操作する（ストップボタン３３Ｃを最初に操作しない）内容で行われる。これにより、本実施形態では、確変モードの制御中、転落リプレイ役の当選に関しても積極的に報知する構成を採用していることになる。
【０１６１】
また、サブ制御用ＣＰＵ４１ａは、確変モードの制御中、上昇リプレイ役の当選が指示される場合、上昇リプレイ役を入賞させるための押し順正解となる操作方法（ストップボタンの押し順）をナビゲート（ナビ）する「上昇リプナビ演出」を行わせる。
【０１６２】
本実施形態における上昇リプナビ演出は、演出表示装置１４で行われるとともに、ベルナビ演出と同様の態様で行われる。そして、サブ制御用ＣＰＵ４１ａは、変動ゲームの開始に伴って上昇リプナビ演出を行わせるように演出表示装置１４の表示内容を制御する。上昇リプナビ演出では、当選した上昇リプレイ役に基づく押し順正解を報知する内容で行われる。例えば、上昇リプナビ演出では、中正解上昇リプレイ役の当選が指定されていれば、ストップボタン３３Ｃを最初に操作する内容で行われる。これにより、本実施形態では、確変モードの制御中、上昇リプレイ役の当選に関しても積極的に報知する構成を採用していることになる。
【０１６３】
そして、サブ制御用ＣＰＵ４１ａは、確変モードの制御中、転落リプレイ役の入賞（転落）が指示される場合、確変モード（ペナルティ）に移行するように制御する。これに合わせて遊技状態は、低確ＲＴ遊技に移行している。確変モードの制御中は、転落リプレイ役の当選時に転落リプナビ演出が行われることで通常、転落リプレイ役の入賞を回避することができるようになっている。しかしながら、転落リプナビ演出を無視したり気付かなかったりすることで、誤って転落リプレイ役を入賞させてしまって遊技状態を低確ＲＴ遊技へ移行させてしまった遊技者に対しては、ベルナビ演出が行われなくなるペナルティが付与される。
【０１６４】
すなわち、サブ制御用ＣＰＵ４１ａは、確変モード（ペナルティ）の制御中、ベル役の当選時にベルナビ演出を行わせないように制御する。この場合にサブ制御用ＣＰＵ４１ａは、低確ＲＴ遊技での変動ゲームが３２回行われて遊技状態が非ＲＴ遊技への移行が指示される場合、ペナルティの付与直前の確変モードに再び移行させる。
【０１６５】
また、サブ制御用ＣＰＵ４１ａは、確変モードの制御中、上昇リプレイ役の入賞（上昇）が指示される場合、ＡＲＴモードに移行するように制御する。これに合わせて遊技状態は、高確ＲＴ遊技に移行している。なお、サブ制御用ＣＰＵ４１ａは、ＡＲＴモードに制御する場合、制御中の確変モードに関する情報として、サブ制御用ＲＡＭ４１ｃの確変回数の記憶内容を記憶保持している。
【０１６６】
なお、サブ制御用ＣＰＵ４１ａは、維持リプレイ役の入賞が指示される場合、確変モードの制御を継続する。この場合に遊技状態は、非ＲＴ遊技が継続されている。
また、サブ制御用ＣＰＵ４１ａは、確変モードの制御中、該確変モードで行った変動ゲームの実行回数をサブ制御用ＲＡＭ４１ｃでカウントする。サブ制御用ＣＰＵ４１ａは、確変モードで変動ゲームが行われる毎に確変回数を減算（−１）して「０（零）」になるまで更新する。また、サブ制御用ＣＰＵ４１ａは、確変回数を遊技者に報知する。
【０１６７】
本実施形態における確変回数の報知（回数報知）は、演出表示装置１４で行われる。演出表示装置１４では、図８（ｂ）に示すように、「確変残りＸ回」の画像を表示させる態様で行われる。この「Ｘ回」の「Ｘ」は確変回数である。これにより、確変モードによる変動ゲームが行われる回数（残り回数）が遊技者に把握される。なお、確変回数として演出表示装置１４に報知される回数は、ＢＮ役に当選しても該ＢＮ役の入賞時まで表示上でのみ減算（−１）を継続して更新表示される。一方、確変回数としてサブ制御用ＲＡＭ４１ｃで記憶管理される回数は、ＢＮ役の当選を以って減算（−１）を停止させる。また、ＢＮ役に基づくＢＮ遊技の開始時には、確変回数としてサブ制御用ＲＡＭ４１ｃで記憶管理される回数となるように演出表示装置１４の表示内容を変化させる。
【０１６８】
そして、サブ制御用ＣＰＵ４１ａは、確変モードの制御中、確変回数をセットしている間、確変モードの制御を継続しうるとともに、転落リプレイ役の入賞を契機として確変モード（ペナルティ）に移行するように制御する一方、上昇リプレイ役の入賞を契機としてＡＲＴモードに移行するように制御する。また、サブ制御用ＣＰＵ４１ａは、確変モードの制御中、確変回数を「０（零）」とする場合、確変モードの制御を終了してナビなし確変モードに移行するように制御する。この場合に遊技状態は、非ＲＴ遊技が継続されている。
【０１６９】
次に、ナビなし確変モードにおける制御内容について説明する。
サブ制御用ＣＰＵ４１ａは、遊技状態が非ＲＴ遊技であって確変回数をセットしていないことから確変モードや後述するＡＲＴモードから移行する場合、ナビなし確変モードに制御する。
【０１７０】
サブ制御用ＣＰＵ４１ａは、ナビなし確変モードの制御中、当選役の当選及び入賞の指示に基づいた処理を行う。なお、非ＲＴ遊技であるナビなし確変モードの制御中には、ＢＮ役、チェリー役、スイカ役、ベル役、転落リプレイ役、上昇リプレイ役、ＳＩＮ役の当選及び入賞が指示されうる。
【０１７１】
そして、サブ制御用ＣＰＵ４１ａは、ナビなし確変モードの制御中、ＢＮ役の入賞が指示される場合、ＢＮ演出状態に移行させるように制御する。これに合わせて遊技状態は、ＢＮ遊技に移行している。
【０１７２】
また、サブ制御用ＣＰＵ４１ａは、ナビなし確変モードの制御中、小役の中でも入賞に際してストップボタンの押し順を要するベル役の当選が指示される場合、押し順正解をナビゲート（ナビ）する「ベルナビ演出」を行わせる。すなわち、確変モードの制御中には、ベル役の入賞を補助（アシスト）する演出が行われる。このため、ナビなし確変モードの制御中、遊技者のベル役の入賞が補助される。
【０１７３】
また、サブ制御用ＣＰＵ４１ａは、ナビなし確変モードの制御中、転落リプレイ役及び上昇リプレイ役の当選が指示される場合、これらリプレイ役の当選を報知する「チャンス演出」を行わせる。
【０１７４】
本実施形態におけるチャンス演出は、演出表示装置１４で行われる。演出表示装置１４では、図８（ｃ）に示すように、ストップボタンを模した画像を３つ並べて表示させるとともに、３つに対して「疑問符」を付す態様で行われる。図８（ｃ）では、３つに「疑問符」が付されていることから、何れのストップボタンを最初に操作すべきかを遊技者に把握させない。
【０１７５】
このようにしてサブ制御用ＣＰＵ４１ａは、変動ゲームの開始に伴ってチャンス演出を行わせるように演出表示装置１４の表示内容を制御する。チャンス演出では、何れのストップボタンを最初に操作すべきかを遊技者自身で選択することを報知する内容で行われる。これにより、本実施形態では、ナビなし確変モードの制御中、転落リプレイ役及び上昇リプレイ役の当選に関しては積極的に報知する構成を採用していることになる。
【０１７６】
そして、サブ制御用ＣＰＵ４１ａは、ナビなし確変モードの制御中、転落リプレイ役の入賞（転落）が指示される場合、一般モード（通常モード及び高確モードの何れか）に移行するように制御する。これに合わせて遊技状態は、低確ＲＴ遊技に移行している。ナビなし確変モードの制御中は、転落リプレイ役の当選時にチャンス演出が行われるが該転落リプレイ役の入賞の回避までは補助されないことから、たまたま押し順不正解となる場面で該転落リプレイ役の入賞を回避しうる。
【０１７７】
この場合にサブ制御用ＣＰＵ４１ａは、一般移行抽選を行うようになっている。この一般移行抽選は、所定の当選確率となるように、「通常モード」、「高確モード」の何れかに乱数を振分けて行われる。そして、一般移行抽選の結果が「通常モード」では制御中のナビなし確変モードから通常モードに移行される一方、一般移行抽選の結果が「高確モード」では制御中のナビなし確変モードから高確モードへと状態が移行される。これに合わせて遊技状態は、低確ＲＴ遊技に移行している。このような一般移行抽選では、高確モードに比べて通常モードに移行し易くなっている。
【０１７８】
また、サブ制御用ＣＰＵ４１ａは、ナビなし確変モードの制御中、上昇リプレイ役の入賞（上昇）が指示される場合、ＡＲＴモードに移行するように制御する。これに合わせて遊技状態は、高確ＲＴ遊技に移行している。ナビなし確変モードの制御中は、上昇リプレイ役の当選時にチャンス演出が行われるが該上昇リプレイ役の入賞までは補助されないことから、たまたま押し順正解となる場面で該上昇リプレイ役を入賞させうる。
【０１７９】
なお、サブ制御用ＣＰＵ４１ａは、維持リプレイ役の入賞が指示される場合、ナビなし確変モードの制御を継続する。この場合に遊技状態は、非ＲＴ遊技が継続されている。また、サブ制御用ＣＰＵ４１ａは、ナビなし確変モードの制御中、確変回数が「０（零）」であることから、確変回数の報知も行わないようになっている。
【０１８０】
次に、ＡＲＴモードにおける制御内容について説明する。
サブ制御用ＣＰＵ４１ａは、遊技状態が高確ＲＴ遊技である場合、ＡＲＴモードに制御する。
【０１８１】
また、サブ制御用ＣＰＵ４１ａは、ＡＲＴモードの制御中、当選役の当選及び入賞の指示に基づいた処理を行う。なお、高確ＲＴ遊技であるＡＲＴモードの制御中には、ＢＮ役、チェリー役、スイカ役、ベル役、不問転落リプレイ役、ＳＩＮ役の当選及び入賞が指示されうる。
【０１８２】
そして、サブ制御用ＣＰＵ４１ａは、ＡＲＴモードの制御中、ＢＮ役の入賞が指示される場合、ＢＮ演出状態に移行させるように制御する。これに合わせて遊技状態は、ＢＮ遊技に移行している。また、サブ制御用ＣＰＵ４１ａは、制御中のＡＲＴモードに関する情報に基づいて確変回数を上乗せして加算（以下、単に「上乗せ」という）するＡＲＴ還元処理を行うようになっている。この場合には、確変回数がセットされていなくてもＡＲＴ還元処理に基づく確変回数を「０（零）」に上乗せすることになる。なお、ＡＲＴ還元処理については後で詳しく説明する。
【０１８３】
また、サブ制御用ＣＰＵ４１ａは、ＡＲＴモードの制御中、小役の中でも入賞に際してストップボタンの押し順を要するベル役の当選が指示される場合、押し順正解をナビゲート（ナビ）する「ベルナビ演出」を行わせる。すなわち、確変モードの制御中には、ベル役の入賞を補助（アシスト）する演出が行われる。このため、ＡＲＴモードの制御中、遊技者のベル役の入賞が補助される。
【０１８４】
また、サブ制御用ＣＰＵ４１ａは、他の演出状態（演出モード）からＡＲＴモードに移行させる場合、ＡＲＴモードで行う変動ゲームのＡＲＴ回数を示す情報をサブ制御用ＲＡＭ４１ｃに記憶（設定）する。なお、ＡＲＴ回数を示す情報は、途中にＢＮ遊技への移行を挟む場合に「０（零）」にリセットされる。本実施形態でＡＲＴ回数がセットされていないとはＡＲＴ回数に「０（零）」が記憶されていることを意味し、ＡＲＴ回数がセットされているとはＡＲＴ回数に「０（零）」以外が記憶されていることを意味する。なお、ＡＲＴ回数は、主制御用ＣＰＵ４０ａにより管理される高確ＲＴ遊技に関する実行回数と同一条件でカウントされていればよい。
【０１８５】
また、サブ制御用ＣＰＵ４１ａは、ＡＲＴモードの制御中、該ＡＲＴモードで行った変動ゲームの実行回数をサブ制御用ＲＡＭ４１ｃでカウントする。サブ制御用ＣＰＵ４１ａは、他の演出状態（演出モード）からＡＲＴモードに移行させる場合、サブ制御用ＲＡＭ４１ｃにＡＲＴ回数として「３０」を設定する。サブ制御用ＣＰＵ４１ａは、ＡＲＴモードで変動ゲームが行われる毎にＡＲＴ回数を減算（−１）して「０（零）」になるまで更新する。また、サブ制御用ＣＰＵ４１ａは、ＡＲＴ回数を遊技者に報知する。これにより、遊技者はＡＲＴモードで行われる変動ゲームの残り回数を把握しうる。また、このようなＡＲＴモードで行われる変動ゲームの残り回数からは、ＡＲＴモードの移行時に設定される「３０回」との差によりＡＲＴモードで行われた変動ゲームの経過回数を把握しうる。すなわち、本実施形態のＡＲＴ回数は、ＡＲＴモードで行う変動ゲームの残り回数を示すとともに、ＡＲＴモードで行われた変動ゲームの経過回数を示すことになる。
【０１８６】
本実施形態におけるＡＲＴ回数の報知（回数報知）は、演出表示装置１４で行われる。演出表示装置１４では、図８（ｂ）に示すように、「ＡＲＴ態様で残りＸ回」の画像を表示させる態様で行われる。この「Ｘ回」の「Ｘ」はＡＲＴ回数である。これにより、ＡＲＴモードによる変動ゲームが行われる回数（残り回数）が遊技者に把握される。なお、ＡＲＴ回数として演出表示装置１４に報知される回数は、ＢＮ役に当選しても該ＢＮ役の入賞時まで表示上でのみ減算（−１）を継続して更新表示される。一方、ＡＲＴ回数としてサブ制御用ＲＡＭ４１ｃで記憶管理される回数は、ＢＮ役の当選を以って減算（−１）を停止させる。
【０１８７】
なお、ＡＲＴモードの制御中の演出表示装置１４では、「確変残りＸ回」の画像も合わせて表示される。これにより、確変モードによる変動ゲームが行われる回数（残り回数）が遊技者に把握される。
【０１８８】
そして、サブ制御用ＣＰＵ４１ａは、ＡＲＴモードの制御中、ＡＲＴ回数をセットしている間、ＡＲＴモードの制御を継続しうるとともに、ＡＲＴ回数を「０（零）」とする場合、ＡＲＴモードの制御を終了してその時の確変回数に基づいて次の変動ゲームから確変モード又はナビなし確変モードに移行するように制御する。この場合には、遊技状態が非ＲＴ遊技に移行されている。このため、本実施形態では、上限回数（「３０回」）が設定されている高確ＲＴ遊技を利用して、３０回の変動ゲームを１セットとするＡＲＴモードによる変動ゲームを付与するゲーム性を実現している。
【０１８９】
また、ＡＲＴモードの制御中、ＡＲＴ回数が「０（零）」となる場合とは、ＡＲＴモードでの変動ゲームが３０回行われる、すなわち遊技状態が高確ＲＴ遊技から非ＲＴ遊技に移行するときである。この場合にサブ制御用ＣＰＵ４１ａは、ＡＲＴモードでの変動ゲームを３０回行って確変回数をセットしている場合（確Ｇ＞０）、確変モードに移行するように制御する。一方、サブ制御用ＣＰＵ４１ａは、ＡＲＴモードでの変動ゲームを３０回行って確変回数をセットしていない場合（確Ｇ＝０）、ナビなし確変モードに移行するように制御する。
【０１９０】
また、サブ制御用ＣＰＵ４１ａは、ＡＲＴモードの制御中、ベル役の当選が指示されたベル当選回数を示す情報をサブ制御用ＲＡＭ４１ｃに記憶（設定）する。なお、ベル当選回数を示す情報は、途中にＢＮ遊技への移行を挟む場合に「０（零）」にリセットされる。
【０１９１】
また、サブ制御用ＣＰＵ４１ａは、ＡＲＴモードの制御中、該ＡＲＴモードでベル役の当選が指示された当選回数をサブ制御用ＲＡＭ４１ｃでカウントする。サブ制御用ＣＰＵ４１ａは、他の演出状態（演出モード）からＡＲＴモードに移行させる場合、サブ制御用ＲＡＭ４１ｃにベル当選回数として「０（零）」を設定する。サブ制御用ＣＰＵ４１ａは、ＡＲＴモードでベル役の当選が指示される毎にベル当選回数を加算（＋１）して更新する。
【０１９２】
そして、サブ制御用ＣＰＵ４１ａは、ＡＲＴモードの制御中、ＡＲＴ回数を「０（零）」とする場合、すなわちＡＲＴモードの制御を終了する場合、その時のベル当選回数に基づいて確変回数を上乗せする特殊上乗せ処理を行うときがある。この場合にサブ制御用ＣＰＵ４１ａは、ベル当選回数が「０（零）」であれば確変回数に「５０」を上乗せするようにサブ制御用ＲＡＭ４１ｃの確変回数を更新することで特殊上乗せ処理を行う。一方、サブ制御用ＣＰＵ４１ａは、ベル当選回数が「０（零）」以外であれば特殊上乗せ処理を行わない。この場合には、確変回数がセットされていなくても特殊上乗せ処理に基づく確変回数を「０（零）」に上乗せすることになる。このように特殊上乗せ処理が行われる場合には、ＡＲＴモードの終了時に確変回数が「０（零）」であっても確変回数の上乗せによりナビなし確変モードではなく確変モードへと移行されることになる。
【０１９３】
次に、ＢＮ後モードにおける制御内容について説明する。
サブ制御用ＣＰＵ４１ａは、遊技状態がＢＮ後ＲＴ遊技であって確変回数をセットしていない場合、ＢＮ後モードに制御する。
【０１９４】
また、サブ制御用ＣＰＵ４１ａは、ＢＮ後モードの制御中、当選役の当選及び入賞の指示に基づいた処理を行う。なお、ＢＮ後ＲＴ遊技であるＢＮ後モードの制御中には、ＢＮ役、チェリー役、スイカ役、ベル役、維持リプレイ役、ＳＩＮ役の当選及び入賞が指示されうる。
【０１９５】
そして、サブ制御用ＣＰＵ４１ａは、ＢＮ後モードの制御中、ＢＮ役の入賞が指示される場合、ＢＮ演出状態に移行させるように制御する。これに合わせて遊技状態は、ＢＮ遊技に移行している。
【０１９６】
また、サブ制御用ＣＰＵ４１ａは、小役の中でも入賞に際してストップボタンの押し順を要するベル役の当選が指示される場合、押し順正解をナビゲート（ナビ）するような演出を行わせないように演出表示装置１４を制御する。すなわち、ＢＮ後モードの制御中には、ベル役の入賞を困難とするように演出が行われる。このため、ＢＮ後モードの制御中、遊技者はベル役の当選時にたまたま押し順正解となる場面でこれを入賞させうる。
【０１９７】
そして、サブ制御用ＣＰＵ４１ａは、ＢＮ後モードの制御中、ＳＩＮ役の取りこぼし（ＳＩＮこぼし）が指示される場合、一般モード（通常モード及び高確モードの何れか）に移行するように制御する。これに合わせて遊技状態は、非ＲＴ遊技に移行している。ＢＮ後モードの制御中は、ＳＩＮ役を取りこぼすタイミングで停止操作が行われることで、ＳＩＮ役の入賞を回避してＳＩＮこぼし停止目を停止表示させうる。
【０１９８】
この場合にサブ制御用ＣＰＵ４１ａは、ナビなし確変モードの制御中と同様にして一般移行抽選を行うようになっている。この一般移行抽選は、所定の当選確率となるように、「通常モード」、「高確モード」の何れかに乱数を振分けて行われる。そして、一般移行抽選の結果が「通常モード」では制御中のナビなし確変モードから通常モードに移行される一方、一般移行抽選の結果が「高確モード」では制御中のナビなし確変モードから高確モードへと状態が移行される。これに合わせて遊技状態は、非ＲＴ遊技に移行している。このような一般移行抽選では、高確モードに比べて通常モードに移行し易くなっている。
【０１９９】
また、サブ制御用ＣＰＵ４１ａは、ＢＮ後モードの制御中、ＳＩＮ役の入賞が指示される場合（ＳＩＮ入賞）、ＢＮ後モードの制御を継続する。この場合に遊技状態は、ＢＮ後ＲＴ遊技が継続されている。
【０２００】
次に、ＢＮ後確変モードにおける制御内容について説明する。
サブ制御用ＣＰＵ４１ａは、遊技状態がＢＮ後ＲＴ遊技であって確変回数をセットしている場合、ＢＮ後確変モードに制御する。
【０２０１】
また、サブ制御用ＣＰＵ４１ａは、ＢＮ後確変モードの制御中、当選役の当選及び入賞の指示に基づいた処理を行う。なお、ＢＮ後ＲＴ遊技であるＢＮ後モードの制御中には、ＢＮ役、チェリー役、スイカ役、ベル役、維持リプレイ役、ＳＩＮ役の当選及び入賞が指示されうる。
【０２０２】
そして、サブ制御用ＣＰＵ４１ａは、ＢＮ後確変モードの制御中、ＢＮ役の入賞が指示される場合、ＢＮ演出状態に移行させるように制御する。これに合わせて遊技状態は、ＢＮ遊技に移行している。
【０２０３】
また、サブ制御用ＣＰＵ４１ａは、ＢＮ後確変モードの制御中、小役の中でも入賞に際してストップボタンの押し順を要するベル役の当選が指示される場合、押し順正解をナビゲート（ナビ）する「ベルナビ演出」を行わせる。すなわち、ＢＮ後確変モードの制御中には、ベル役の入賞を補助（アシスト）する演出が行われる。このため、ＢＮ後確変モードの制御中、遊技者のベル役の入賞が補助される。
【０２０４】
そして、サブ制御用ＣＰＵ４１ａは、ＢＮ後確変モードの制御中、ＳＩＮ役の取りこぼし（ＳＩＮこぼし）が指示される場合、確変モードに移行するように制御する。これに合わせて遊技状態は、非ＲＴ遊技に移行している。ＢＮ後確変モードの制御中は、ＳＩＮ役を取りこぼすタイミングで停止操作が行われることで、ＳＩＮ役の入賞を回避してＳＩＮこぼし停止目を停止表示させうる。
【０２０５】
また、サブ制御用ＣＰＵ４１ａは、ＢＮ後確変モードの制御中、ＳＩＮ役の入賞（ＳＩＮ入賞）が指示される場合、ＢＮ後確変モード（ペナルティ）に移行するように制御する。この場合に遊技状態は、ＢＮ後ＲＴ遊技が継続されている。なお、ＢＮ後確変モードの制御中のＳＩＮ役の入賞によっては、遊技状態がＢＮ後ＲＴ遊技に継続されて演出状態が確変モードにも移行しえないことから、高確ＲＴ遊技のもとで制御されるＡＲＴモードへの移行が延長されることになる。
【０２０６】
ＢＮ後確変モードの制御中は、ＳＩＮ役を取りこぼすタイミングで遊技が行われることで、ＳＩＮ役の入賞を回避することができるようになっている。しかしながら、停止操作のタイミングを誤ってＳＩＮ役を入賞させてしまって遊技状態としてＢＮ後ＲＴ遊技を継続させてしまった遊技者に対しては、ベルナビ演出が行われなくなるペナルティが付与される。
【０２０７】
すなわち、サブ制御用ＣＰＵ４１ａは、ＢＮ後確変モード（ペナルティ）の制御中、ベル役の当選時にベルナビ演出を行わせないように制御する。この場合にサブ制御用ＣＰＵ４１ａは、次のＳＩＮ役の当選時に遊技状態が非ＲＴ遊技への移行が指示される場合、確変モードに移行するように制御する。なお、ＢＮ後確変モード（ペナルティ）については後で詳しく説明する。
【０２０８】
次に、ＢＮ演出状態における制御内容について説明する。
サブ制御用ＣＰＵ４１ａは、遊技状態がＢＮ遊技である間、ＢＮ演出状態に制御する。
そして、サブ制御用ＣＰＵ４１ａは、各演出状態からＢＮ演出状態に制御する場合、主制御用ＣＰＵ４０ａが管理するＢＮ払出枚数に対応する枚数を、演出表示装置１４で遊技者に報知する。なお、サブ制御用ＣＰＵ４１ａは、主制御用ＣＰＵ４０ａからの各種コマンドから当選役や賞態様を特定する結果、主制御用ＣＰＵ４０ａが管理するＢＮ払出枚数に対応する枚数を把握しうる。
【０２０９】
また、サブ制御用ＣＰＵ４１ａは、ＢＮ演出状態に制御している場合、指示される当選役に基づいた演出を行わせるとともに、これら当選役の入賞に基づいて演出を行わせるように演出表示装置１４の表示内容を制御する。そして、サブ制御用ＣＰＵ４１ａは、ベル役の当選が指示される場合、ＡＲＴモードの制御中と同様に、ベルナビ演出を行わせる。このため、ＢＮ演出状態の制御中、遊技者のベル役の入賞が補助される。
【０２１０】
また、サブ制御用ＣＰＵ４１ａは、ＢＮ遊技の終了が指示される場合、ＢＮ演出状態の制御を終了してその時の確変回数に基づいて次の変動ゲームからＢＮ後モード又はＢＮ後確変モードに移行するように制御する。この場合には、遊技状態がＢＮ後ＲＴ遊技に移行されている。この場合にサブ制御用ＣＰＵ４１ａは、ＢＮ演出状態を終了させて確変回数をセットしていない場合（確Ｇ＝０）、ＢＮ後モードに移行するように制御する。一方、サブ制御用ＣＰＵ４１ａは、ＢＮ演出状態を終了させて確変回数をセットしている場合（確Ｇ＞０）、ＢＮ後確変モードに移行するように制御する。
【０２１１】
このように構成された本実施形態において、ＡＲＴモードは、遊技状態が高確ＲＴ遊技であることから遊技者にとって有利であるとともに、変動ゲームを遊技者が有利に行うための演出（ベルナビ演出）が行われる状態である。
【０２１２】
また、一般モードは、ＡＲＴ移行抽選により高確ＲＴ遊技へと繋がるチャンスを手に入れることができる状態であるが、変動ゲームを遊技者が有利に行うための演出（ベルナビ演出や各リプナビ演出）が行われない状態である。また、一般モードは、リプレイ役に高確率で当選可能な非ＲＴ遊技の遊技状態の場合もあるが、各リプナビ演出が行われないことから低確ＲＴ遊技に移行し易くリプレイ役の高確率の恩恵をほとんどえることのできない状態である。
【０２１３】
また、確変モードは、遊技状態が非ＲＴ遊技であってこのような遊技状態を転落リプナビ演出により継続可能であることから遊技者にとって有利であるとともに、変動ゲームを遊技者が有利に行うための演出（ベルナビ演出や各リプナビ演出）が行われる状態である。また、確変モードは、各リプナビ演出により遊技者を高確ＲＴ遊技へと導くことができる状態である。ただし、確変モードは、確変回数がセットされている間のみ付与可能な状態であって、この間に上昇リプレイ役に当選することで高確ＲＴ遊技への移行が達成される状態である。
【０２１４】
また、ナビなし確変モードは、遊技状態が非ＲＴ遊技であって転落リプレイ役の入賞の回避や上昇リプレイ役の入賞を遊技者が自力で達成してなければ継続可能とならないが、変動ゲームを遊技者が有利に行うための演出（ベルナビ演出やチャンス演出）が行われる状態である。また、ナビなし確変モードは、チャンス演出により遊技者が自力で該ナビなし確変モードの継続や高確ＲＴ遊技へと移行させうる状態である。
【０２１５】
また、ＢＮ後モードは、遊技状態がＢＮ後ＲＴ遊技であってＡＲＴ移行抽選も行われない高確ＲＴ遊技へと繋がるチャンスがない遊技者にとって不利な状態であるとともに、変動ゲームを遊技者が有利に行うための演出（ベルナビ演出）が行われない状態である。
【０２１６】
また、ＢＮ後確変モードでは、遊技状態がＢＮ後ＲＴ遊技であるが確変モードにいずれ移行することができる遊技者にとって有利な状態であるとともに、変動ゲームを遊技者が有利に行うための演出（ベルナビ演出）が行われる状態である。ただし、ＢＮ後確変モードは、ＳＩＮ役の取りこぼしの発生までの間のみ付与可能である一方、ＳＩＮ役の入賞によりペナルティが付与される状態である。
【０２１７】
このようなペナルティとして付与されるＢＮ後確変モード（ペナルティ）は、次のＳＩＮ役の当選の到来まで遊技状態がＢＮ後遊技で延長される結果、確変モード、すなわち高確ＲＴ遊技への移行が延長される遊技者にとって不利な状態であるとともに、変動ゲームを遊技者が有利に行うための演出（ベルナビ演出）が行われない状態である。
【０２１８】
本実施形態では、ベル役の入賞を補助するベルナビ演出が遊技者にとって有利となる有利情報に相当する。また、転落リプレイ役の入賞の回避や上昇リプレイ役の入賞を補助する各リプナビ演出が遊技者にとって有利となる有利情報に相当する。なお、本実施形態では、チャンス演出も有利情報になりうる。また、本実施形態では、ＢＮ後ＲＴ遊技や非ＲＴ遊技や高確ＲＴ遊技の遊技状態でこれらベルナビ演出や各リプナビ演出を行わせるように制御するサブ制御用ＣＰＵ４１ａが報知制御手段として機能する。また、本実施形態では、有利準備遊技状態に相当する非ＲＴ遊技の遊技状態でベルナビ演出や各リプナビ演出が行われる確変モードに制御される期間が有利準備遊技報知期間に相当するとともに、このような確変モードに関する制御を行うサブ制御用ＣＰＵ４１ａが有利準備遊技報知期間設定手段として機能する。また、本実施形態では、確変回数が有利準備遊技報知期間を特定する回数であって有利準備遊技報知期間の残り遊技回数に相当するとともに、ＡＲＴ回数が遊技状態の残り遊技回数及び経過遊技回数に相当する。また、本実施形態では、演出表示装置１４にＡＲＴ回数を報知させるように制御するサブ制御用ＣＰＵ４１ａが表示制御手段として機能する。
【０２１９】
次に、サブ制御用ＣＰＵ４１ａがＡＲＴモードの制御中に行うＡＲＴ還元処理について説明する。
図９（ａ）に示すように、サブ制御用ＣＰＵ４１ａは、ＡＲＴモードの制御中、ＢＮ役の当選が指示される場合、ＡＲＴ回数のカウントを停止させて該ＡＲＴ回数に基づいてＡＲＴ還元処理を行う。また、サブ制御用ＣＰＵ４１ａは、ＡＲＴ還元処理を行う契機となったＢＮ役に基づくＢＮ遊技の終了時にＡＲＴ還元処理の結果を遊技者に報知するように演出表示装置１４の表示内容を制御する。なお、サブ制御用ＣＰＵ４１ａは、ＡＲＴ還元処理を行う契機となったＢＮ役に基づくＢＮ遊技の終了時までの間、ＡＲＴ還元処理により上乗せされた確変回数を遊技者に報知しない。
【０２２０】
本実施形態において、ＡＲＴ回数は、ＡＲＴモードに制御される変動ゲームの残り回数（以下、「ＡＲＴ残り回数」という）となる。また、ＡＲＴ回数は、ＡＲＴに制御される上限となる「３０（回）」との差によりＡＲＴモードで行われた変動ゲームの経過回数（以下、「ＡＲＴ経過回数」という）となる。また、ＡＲＴ回数は、主制御用ＣＰＵ４０ａにより管理される高確ＲＴ遊技に関する実行回数と同一条件でカウントされていることから、高確ＲＴ遊技に制御される変動ゲームの残り回数を意味するとともに、高確ＲＴ遊技で行われた変動ゲームの経過回数を意味することになる。
【０２２１】
そして、サブ制御用ＣＰＵ４１ａは、ＡＲＴ残り回数が６回以上の場合、ＡＲＴ残り回数を確変回数に上乗せするＡＲＴ還元処理を行う。
この場合のＡＲＴ還元処理によっては、図１０（ａ），（ｂ）に示すＡＲＴ残り回数加算の態様で確変回数の上乗せが行われる。なお、図１０（ａ），（ｂ）は、サブ制御用ＲＡＭ４１ｃに記憶されているＡＲＴ回数が「１０」、すなわちＡＲＴ残り回数が「１０回」及びＡＲＴ経過数が「２０回」を意味する場合であって、サブ制御用ＲＡＭ４１ｃに記憶されている確変回数が「１４」の場合に行われるＡＲＴ還元処理の例である。
【０２２２】
すなわち、図１０（ａ）に示すように、この場合のサブ制御用ＲＡＭ４１ｃにおける記憶内容は、確変回数「１４」にＡＲＴ還元処理を経てＡＲＴ残り回数である「１０」を上乗せした確変回数「２４」に更新される。なお、サブ制御用ＣＰＵ４１ａは、ＡＲＴ還元処理を行った後にＡＲＴ回数を「０（零）」にリセットする。
【０２２３】
これにより、図１０（ｂ）に示すように、演出表示装置１４では、ＡＲＴ還元処理を行う契機となったＢＮ役に基づくＢＮ遊技の終了時まで「確変残り１４回」の画像が表示されるとともに、該ＢＮ遊技の終了後時に「＋１０」の画像を表示させることで今回のＡＲＴ還元処理による上乗せが「１０（回）」であることが遊技者に報知される。その後、演出表示装置１４では、「確変残り２４回」の画像が表示されることでサブ制御用ＲＡＭ４１ｃの記憶内容のうち確変回数が「２４（回）」であることが遊技者に報知される。
【０２２４】
また、サブ制御用ＣＰＵ４１ａは、ＡＲＴ残り回数が５回以下の場合、ＡＲＴ残り回数又はＡＲＴ経過回数の何れかを確変回数に上乗せするＡＲＴ還元処理を行う。また、サブ制御用ＣＰＵ４１ａは、ＡＲＴ残り回数が５回以下の場合、図９（ｂ）に示すように、ＡＲＴ残り回数及びＡＲＴ経過回数の何れを確変回数に上乗せするかを決定する逆転抽選を行うようになっている。この逆転抽選は、所定の当選確率となるように、「ＡＲＴ残り回数」、「ＡＲＴ経過回数」の何れかに乱数を振分けて行われる。
【０２２５】
そして、逆転抽選の結果が「ＡＲＴ残り回数」ではＡＲＴ還元処理によりＡＲＴ残り回数が確変回数に上乗せされる一方、逆転抽選の結果が「ＡＲＴ経過回数」ではＡＲＴ還元処理によりＡＲＴ経過回数が確変回数に上乗せされる。
【０２２６】
このような逆転抽選は、ＡＲＴ残り回数が５回以下であってＡＲＴ残り回数に比べてＡＲＴ経過回数が大きい場合に行われることになる。このため、ＡＲＴ還元処理によりＡＲＴ経過回数が上乗せされる場合には、ＡＲＴ残り回数が上乗せされる場合に比べて確変回数に上乗せされる回数が大きくなる。したがって、このような逆転抽選では、ＡＲＴ経過回数の上乗せに比べてＡＲＴ残り回数の上乗せが決定され易くすることで、ＡＲＴ経過回数の上乗せに対して遊技者に期待を抱かせるようになっている。
【０２２７】
この場合のＡＲＴ還元処理によっては、図１１（ａ），（ｂ）に示す逆転抽選→ＡＲＴ残り回数加算の態様又は図１２（ａ），（ｂ）に示す逆転抽選→ＡＲＴ経過回数加算の態様で確変回数の上乗せが行われる。なお、図１１（ａ），（ｂ）及び図１２（ａ），（ｂ）は、サブ制御用ＲＡＭ４１ｃに記憶されているＡＲＴ回数が「４」、すなわちＡＲＴ残り回数が「４回」及びＡＲＴ経過数が「２６回」を意味する場合であって、サブ制御用ＲＡＭ４１ｃに記憶されている確変回数が「１４」の場合に行われるＡＲＴ還元処理の例である。
【０２２８】
すなわち、逆転抽選の結果、ＡＲＴ残り回数を上乗せする場合、図１１（ａ）に示すように、サブ制御用ＲＡＭ４１ｃにおける記憶内容は、確変回数「１４」にＡＲＴ還元処理を経てＡＲＴ残り回数である「４」を上乗せした確変回数「１８」に更新される。
【０２２９】
これにより、図１１（ｂ）に示すように、演出表示装置１４では、ＡＲＴ還元処理を行う契機となったＢＮ役に基づくＢＮ遊技の終了時まで「確変残り１４回」の画像が表示されるとともに、該ＢＮ遊技の終了後時に「＋４」の画像を表示させることで今回のＡＲＴ還元処理による上乗せが「４（回）」であることが遊技者に報知される。その後、演出表示装置１４では、「確変残り１８回」の画像が表示されることでサブ制御用ＲＡＭ４１ｃの記憶内容のうち確変回数が「１８（回）」であることが遊技者に報知される。
【０２３０】
また、逆転抽選の結果、ＡＲＴ経過回数を上乗せする場合、図１２（ａ）に示すように、サブ制御用ＲＡＭ４１ｃにおける記憶内容は、確変回数「１４」にＡＲＴ還元処理を経てＡＲＴ経過回数である「２６」を上乗せした確変回数「４０」に更新される。
【０２３１】
これにより、図１２（ｂ）に示すように、演出表示装置１４では、ＡＲＴ還元処理を行う契機となったＢＮ役に基づくＢＮ遊技の終了時まで「確変残り１４回」の画像が表示されるとともに、該ＢＮ遊技の終了後時に「＋２６」の画像を表示させることで今回のＡＲＴ還元処理による上乗せが「２６（回）」であることが遊技者に報知される。その後、演出表示装置１４では、「確変残り４０回」の画像が表示されることでサブ制御用ＲＡＭ４１ｃの記憶内容のうち確変回数が「４０（回）」であることが遊技者に報知される。
【０２３２】
次に、サブ制御用ＣＰＵ４１ａがＢＮ後確変モードの制御中に行うＢＮ後確変モード（ペナルティ）に係る処理について説明する。
上述したように、ＢＮ後確変モード（ペナルティ）に制御する間、サブ制御用ＣＰＵ４１ａは、ベルナビ演出の実行を規制してベル役の入賞の補助を行わないように制御する。
【０２３３】
そして、サブ制御用ＣＰＵ４１ａは、ＢＮ後確変モード（ペナルティ）の制御中、ＳＩＮ役の当選が指示される場合、ＳＩＮ役の当選を遊技者に報知するとともに、ＳＩＮこぼし停止目を停止表示させる、すなわちＳＩＮ役の入賞を回避する停止操作のタイミングも合わせて報知する「ＳＩＮ報知演出」を行わせる。なお、サブ制御用ＣＰＵ４１ａは、このようなＳＩＮ報知演出をＢＮ後確変モード（ペナルティ）の制御中にのみ行わせる一方で、ＢＮ後一般モードでＳＩＮ役を入賞させた後の状態であってもこのようなＳＩＮ報知演出を行わせないようにしている。
【０２３４】
ＳＩＮ報知演出は、演出表示装置１４で行われる。演出表示装置１４では、図８（ｄ）に示すように、「注意」の画像を表示させるとともに、「左に［チェリー］を狙え」の画像を表示させる態様で行われる。このため、ＳＩＮ報知演出では、演出表示装置１４に「注意」の画像を表示させることでＳＩＮ役の当選とともに入賞の回避を喚起することができる。また、ＳＩＮ報知演出では、演出表示装置１４に「左に［チェリー］を狙え」の画像を表示させることで遊技者にＳＩＮこぼし停止目を停止表示させるように操作することを促す報知を行うことができる。これにより、ＳＩＮ役の当選が遊技者に把握されるとともに、ＳＩＮこぼし停止目を停止表示させるために具体的にどういった停止操作を行えばよいかが遊技者に把握される。
【０２３５】
本実施形態において、ＳＩＮ報知演出は、ＢＮ後ＲＴ遊技から非ＲＴ遊技への移行の契機であってＢＮ後確変モードやＢＮ後確変モード（ペナルティ）に制御されるＢＮ後ＲＴ遊技であれば確変モードに制御される非ＲＴ遊技への移行の契機を報知することになる。
【０２３６】
このようにしてサブ制御用ＣＰＵ４１ａは、変動ゲームの開始に伴ってＳＩＮ報知演出を行わせるように演出表示装置１４の表示内容を制御する。
また、サブ制御用ＣＰＵ４１ａは、ＢＮ後確変モード（ペナルティ）の制御中、変動ゲーム毎に、ＢＮ後確変モード（ペナルティ）であることを遊技者に報知する「ペナルティ報知演出」を行わせる。なお、サブ制御用ＣＰＵ４１ａは、このようなペナルティ報知演出をＢＮ後確変モード（ペナルティ）の制御中にのみ行わせる一方で、それ以外の演出状態では確変モード（ペナルティ）のようなペナルティの付与中であってもペナルティ報知演出を行わせないようにしている。
【０２３７】
ペナルティ報知演出は、演出用ランプＥＲで行われる。演出用ランプＥＲでは、図８（ｅ）に示すように、全列のリールが停止されて全列の図柄が停止表示されるタイミングで点滅（フラッシュ）する態様で行われる。なお、図８（ｅ）で「↓」はリールの変動中を意味している。また、演出用ランプＥＲでは、図８（ｅ）に示すように、全列のリールが停止表示されていない場合、すなわち１列でも変動中「↓」のリールが存在している場合にペナルティ報知演出が行われないようになっている。このため、ペナルティ報知演出では、遊技者にＢＮ後確変モード（ペナルティ）に制御されていることを全列のリールの停止に合わせて演出用ランプＥＲを点滅させることで報知することができる。
【０２３８】
このようにしてサブ制御用ＣＰＵ４１ａは、変動ゲーム毎に全列のリールが停止されて全列の図柄が停止表示されるタイミングでペナルティ報知演出を行わせるように演出用ランプＥＲの発光態様を制御する。すなわち、サブ制御用ＣＰＵ４１ａは、変動ゲームの終了に合わせてペナルティ報知演出を行わせるといえる。また、サブ制御用ＣＰＵ４１ａは、ペナルティ報知演出に関しては全列のリールが停止されて全列の図柄が停止表示されてから、ベット有効時間以内（本実施形態では「９９０ｍｓ」）の間、演出用ランプＥＲを点滅させるように制御する。このため、サブ制御用ＣＰＵ４１ａは、次の変動ゲームを開始可能な状態になってもペナルティ報知演出が行われていることがないように制御する。
【０２３９】
なお、サブ制御用ＣＰＵ４１ａは、一般遊技の遊技状態でＢＮ役や小役の当選時に所定の確率で演出用ランプＥＲを点灯や点滅（フラッシュ）させることで、ＢＮ役等のチャンスの到来を遊技者に報知する演出を行わせるように演出用ランプＥＲの発光態様を制御するようになっている。このような演出用ランプＥＲを用いた演出に関しては、ペナルティ報知演出が行われるタイミングとは異なるタイミングで行われるようになっている。このため、ペナルティ報知演出により、ＢＮ後確変モード（ペナルティ）の制御中であることが遊技者に把握される。
【０２４０】
そして、ＢＮ後確変モードからＳＩＮ役の入賞の回避（ＳＩＮこぼし）により確変モードへと移行する場合、図１３（ａ），（ｂ）に示す態様で移行が行われる。一方、ＢＮ後確変モードからＳＩＮ役の入賞（ＳＩＮ入賞）によりＢＮ後確変モード（ペナルティ）へと移行する場合、図１４（ａ），（ｂ）に示す態様で移行が行われる。なお、図１３（ａ）及び図１４（ａ）は、高確ＲＴ遊技中のＢＮ役の当選に基づく入賞からＢＮ遊技を経て、ＢＮ後ＲＴ遊技へと遊技状態が移行する態様を示している。また、図１３（ｂ）及び図１４（ｂ）は、図１３（ａ）及び図１４（ａ）に示す遊技状態に基づき、ＡＲＴモード中のＢＮ役の当選に基づく入賞からＢＮ演出状態を経て、ＢＮ後確変モードへと演出状態が移行する態様を示している。
【０２４１】
そして、図１３（ａ），（ｂ）に示すように、遊技状態がＢＮ後ＲＴ遊技であって演出状態がＢＮ後確変モードの制御中には、ＳＩＮ役の取りこぼし（ＳＩＮこぼし）の到来により、遊技状態が非ＲＴ遊技であって演出状態が確変モードに制御されるようになる。なお、このＢＮ後確変モードの制御中には、ベルナビ演出が行われることでベル役の入賞に基づく賞メダルを獲得しうる。
【０２４２】
すなわち、この場合には、ＢＮ後確変モードからＳＩＮ役の当選までベル役の入賞に基づく賞メダルを獲得しつつＳＩＮ役の当選の到来を待つことになる。その後のＳＩＮ役の当選時には、該ＳＩＮ役を取りこぼすことで確変モードへの移行が達成されることになる。
【０２４３】
一方、図１４（ａ），（ｂ）に示すように、遊技状態がＢＮ後ＲＴ遊技であって演出状態がＢＮ後確変モードの制御中には、ＳＩＮ役の入賞（ＳＩＮ入賞）の到来により、遊技状態が非ＲＴ遊技であって演出状態が確変モードに移行されない。すなわち、この場合には、遊技状態がＢＮ後ＲＴ遊技に継続されて該ＢＮ後ＲＴ遊技であって演出状態がＢＮ後確変モード（ペナルティ）に制御されるようになる。なお、このＢＮ後確変モードの制御中には、ベルナビ演出が行われることでベル役の入賞に基づく賞メダルを獲得しうる一方、ＢＮ後確変モード（ペナルティ）の制御中には、ベルナビ演出が行われないことでベル役の入賞に基づく賞メダルを獲得し難い。
【０２４４】
すなわち、この場合には、ＢＮ後確変モードからＳＩＮ役の当選までベル役の入賞に基づく賞メダルを獲得しつつＳＩＮ役の当選の到来を待つことになる。その後のＳＩＮ役の当選時には、該ＳＩＮ役が入賞することで確変モードへの移行が達成されないで、ベルナビ演出が行われないＢＮ後確変モード（ペナルティ）へと移行することになる。一方、このＢＮ後確変モード（ペナルティ）では、ベルナビ演出が行われないがＳＩＮ報知演出が行われるとともにペナルティ報知演出が行われることになる。
【０２４５】
本実施形態では、ＢＮ後確変モード（ペナルティ）が報知規制状態に相当する。なお、本実施形態では、このようなＢＮ後確変モード（ペナルティ）となるように報知制御手段として機能するサブ制御用ＣＰＵ４１ａが演出状態を制御している。また、本実施形態では、このようなＢＮ後確変モード（ペナルティ）であることを報知するように制御するサブ制御用ＣＰＵ４１ａが報知規制制御手段として機能する。また、本実施形態では、このようなＢＮ後確変モード（ペナルティ）に制御される間にＳＩＮ役の当選を報知するように制御するサブ制御用ＣＰＵ４１ａが条件報知制御手段として機能する。また、本実施形態では、報知制御手段と報知規制制御手段と条件報知制御手段しての機能を合わせ持つサブ制御用ＣＰＵ４１ａが演出制御手段として機能する。
【０２４６】
このように構成された本実施形態では、ＡＲＴ還元処理による確変回数の上乗せ（加算）に関し、ＡＲＴ残り回数及びＡＲＴ経過回数を対象として確変回数に上乗せする構成としている。これらＡＲＴ残り回数及びＡＲＴ経過回数は、ＡＲＴモード（高確ＲＴ遊技）の制御中でもＢＮ役の当選が決定されるタイミングによって変化する可能性がある。このため、ＢＮ役の当選が決定されるタイミングにより、高確ＲＴ遊技に移行しうる非ＲＴ遊技が確変モードに制御される期間に変化を与えることができるから、高確ＲＴ遊技への移行に対する期待感を変化させるようになる。
【０２４７】
また、確変回数は、ＡＲＴモードの制御中のＢＮ役の当選がなされることでＡＲＴ還元処理によりＡＲＴ経過回数を対象として上乗せ可能な構成としている。すなわち、ＡＲＴモードの開始付近では、ＡＲＴ残り回数が多く残っていることから安心して遊技を行える状況を遊技者に付与することができるようになる。一方、ＡＲＴモードの終了付近では、ＡＲＴ還元処理により確変回数が上乗せされる場合、ＡＲＴ残り回数に比べて多いことになるＡＲＴ経過回数が上乗せ可能になる。
【０２４８】
また、非ＲＴ遊技は、高確ＲＴ遊技と同様に低確ＲＴ遊技に比べてリプレイ役の合算の当選確率を高くする構成としている。これにより、ＡＲＴ還元処理による確変回数が上乗せされる場合には、上乗せ分は非ＲＴ遊技が確変モードに制御されるようになることから、リプレイ役に高確率で当選する恩恵に加えて高確ＲＴ遊技への移行のチャンスとなる期間も延長されるようになる。
【０２４９】
また、ＡＲＴ残り回数や確変回数を演出表示装置１４で表示するとともに、それぞれに対応する演出状態（遊技状態）で変動ゲームが行われる毎に更新表示する構成としている。また、ＡＲＴモードの制御中にＢＮ役の当選がなされた後もＢＮ役の入賞までの間、ＡＲＴ回数の更新表示を継続するように構成している。これにより、演出表示装置１４でのＡＲＴ回数の更新表示がＢＮ役に当選しても変わらず行われることから、ＢＮ役の当選を遊技者に気付かせ難くすることができる。また、演出表示装置１４でのＡＲＴ回数の更新表示からＡＲＴ還元処理が行われる場合の上乗せに期待できる確変回数が遊技者に把握されるようにもなる。
【０２５０】
また、ＡＲＴモードの制御中にＢＮ役の当選がなされた後、変動ゲームが行われてもＡＲＴ回数の更新が停止される構成としている。これにより、ＢＮ役の当選がなされて入賞までに変動ゲームを行ってしまっても、このようなＢＮ役の当選から入賞までの変動ゲームがＡＲＴ還元処理で確変回数に上乗せされる回数へ影響を与えないようにすることができる。
【０２５１】
また、ＡＲＴ還元処理によりＡＲＴ経過回数を対象に上乗せ可能にする構成では、ＡＲＴ経過回数が上乗せ（加算）されるかもしれないからといって意図的に該ＡＲＴ経過回数を増やそうとして、ＢＮ役の当選後に該ＢＮ役の入賞を意図的に遅延させるような行為が行われることもある。そこで、高確ＲＴ遊技中にＢＮ役の当選がなされた後、変動ゲームが行われてもサブ制御用ＲＡＭ４１ｃでのＡＲＴ回数の更新が停止される構成とすることで、ＢＮ役の当選後に該ＢＮ役の入賞を意図的に遅延させることによる恩恵がなくなるようになる。
【０２５２】
また、本実施形態において、ＢＮ後確変モード（ペナルティ）に制御されている場合には、該ＢＮ後確変モード（ペナルティ）における変動ゲームで各リールに図柄が停止表示された後にペナルティ報知演出を行わせる構成としている。このような各リールに図柄が停止表示されたタイミングは、遊技を行っている遊技者の停止操作により到来するためこのような遊技を行っていれば認識し易いことになる。一方、各リールに図柄が停止表示されたタイミングは、遊技を行っていなければこのようなタイミングが何時到来するか把握し難いことになる。このため、ペナルティ報知演出は、積極的に報知されるのではなく遊技を行っていなければ認識し難いが遊技を行っていれば認識し易くなるように報知されるようになる。
【０２５３】
また、ＢＮ後確変モード（ペナルティ）では、ＳＩＮ報知演出を行うことで、ＳＩＮ役の取りこぼし、すなわちＳＩＮこぼし停止目を停止表示させる機会を逃してしまった遊技者に対しては、このような機会を繰り返し逃さないように遊技を補助することができるようになる。
【０２５４】
また、ＢＮ後確変モード（ペナルティ）では、ペナルティ報知演出だけでなくＳＩＮ報知演出も行わせることで、ＳＩＮ役の当選時にＳＩＮこぼし停止目を停止表示させる具体的な操作方法、すなわち左リール１３Ｌに［チェリー］が停止表示されるタイミングで停止操作を行うことが遊技者に把握される。これにより、ＳＩＮ役の当選が報知されても具体的にどのようにすればＳＩＮこぼし停止目を停止表示させることができるかが分からないような遊技者でもＳＩＮこぼし停止目を導出する操作方法を容易に把握することができるようになる。
【０２５５】
また、確変モードでの非ＲＴ遊技への移行が約束されることで遊技者にとって有利な状況といえるＢＮ後確変モードに制御されるＢＮ後ＲＴ遊技には、確変回数がセットされている状態でＢＮ遊技が終了される場合に移行されうる。すなわち、ＡＲＴモードの制御中のＢＮ役の当選でＡＲＴ還元処理により確変回数が上乗せされる可能性を高く構成している本実施形態では、主にＡＲＴモードの制御中にＢＮ役に当選したときにＢＮ後確変モードに制御されるＢＮ後ＲＴ遊技へと移行されるようになっている。その一方で、ＢＮ後ＲＴ遊技から高確ＲＴ遊技には、該ＢＮ後ＲＴ遊技でＳＩＮこぼし停止目が停止表示されなければ到達しえないことから、ＢＮ後ＲＴ遊技から非ＲＴ遊技へと一向に移行しない場合には遊技者にとって不利な状況といえる。このように遊技者にとって有利な状況といえるＢＮ後確変モードであっても確変モードに一向に移行されなければ一遍して不利な状況へと変移してしまう。このため、非ＲＴ遊技への移行が延長されてベルナビ演出も行われなくなってしまうＢＮ後確変モード（ペナルティ）の制御中には、ペナルティ報知演出やＳＩＮ報知演出を行うことで該ＢＮ後確変モード（ペナルティ）が延々と続いてしまうような状況の発生を抑制することができることから、これら報知演出が特に有効に作用することになる。
【０２５６】
なお、ＢＮ後モードに制御されるＢＮ後ＲＴ遊技には、確変回数がセットされていない状態でＢＮ遊技が終了される場合に移行されうることから、元々確変モードへの移行も約束されていない状況といえる。このようなもともと遊技者にとって不利な状況といえるＢＮ後モードの制御中には、ＳＩＮ役を入賞させてしまうことで非ＲＴ遊技への移行が延長されているからといってペナルティ報知演出やＳＩＮ報知演出を行わせたとしても必ずしも有効に作用するといえない。このため、本実施形態では、ＢＮ後ＲＴ遊技中であってもＢＮ後確変モードに制御中のＳＩＮ役の入賞後にペナルティ報知演出やＳＩＮ報知演出を行わせる一方、ＢＮ後モードに制御中のＳＩＮ役の入賞後にこれら報知演出を行わせない構成としている。
【０２５７】
したがって、本実施形態によれば、以下に示す効果を得ることができる。
（１）確変モードに制御される期間となる確変回数は、高確ＲＴ遊技中のＢＮ役の当選がなされることで加算（上乗せ）される構成とした。また、このようにして確変回数に加算される回数としては、高確ＲＴ遊技中でもＢＮ役の当選がなされるタイミングによって変化する回数（ＡＲＴ残り回数又はＡＲＴ経過回数）を対象としている。このため、高確ＲＴ遊技中でもＢＮ役の当選がなされるタイミングにより、有利な状態であって高確ＲＴ遊技へと繋がりうる確変モードに制御される期間となる確変回数に変化を与えるようになる。このような確変回数の変化に伴っては、特に確変モードに制御される非ＲＴ遊技が遊技者にとって有利であってさらに高確ＲＴ遊技に移行するチャンスであることから、高確ＲＴ遊技に対する期待感に変化を与えるようになる。このようにして特に確変モードに制御される期間に変化を与えるようにすることで、高確ＲＴ遊技に対する期待感を変化させて遊技の興趣を効果的に向上させることができる。
【０２５８】
（２）確変モードに制御される期間における有利情報としては、転落リプレイ役や上昇リプレイ役に当選したときに転落リプレイ停止目以外の導出を導く情報を報知する構成とした。これにより、確変モードに制御される期間では、通常モードや高確モードへの移行が効果的に回避されるようになる。すなわち、確変モードに制御される間は、非ＲＴ遊技を継続可能であることから、高確ＲＴ遊技に移行するチャンスも継続可能になる。このため、確変モードに制御される期間となる確変回数の変化に伴っては、非ＲＴ遊技の継続態様も変化することから、高確ＲＴ遊技に対する期待感に変化を与えることができる。
【０２５９】
（３）非ＲＴ遊技は、高確ＲＴ遊技と同様に低確ＲＴ遊技やＢＮ後ＲＴ遊技に比べてリプレイ役に当選する確率を高くする構成とした。これにより、確変回数の加算に伴っては、その加算分は非ＲＴ遊技も継続可能となることから、リプレイ役による恩恵を受ける場面に加えて高確ＲＴ遊技に移行するチャンスも増やすことができる。
【０２６０】
（４）高確ＲＴ遊技の残り遊技回数や確変モードに制御される期間の残り遊技回数を演出表示装置１４で更新表示することで、高確ＲＴ遊技への期待感の変化を遊技者に効果的に把握させることができる。その一方で、ＢＮ役の当選がなされてもそのタイミングでＢＮ役の入賞が発生するとは限らない。このため、高確ＲＴ遊技中のＢＮ役の当選がなされてそのときの高確ＲＴ遊技の残り遊技回数に関わる回数（本実施形態では、ＡＲＴ残り回数又はＡＲＴ経過回数）を加算するからといって演出表示装置１４での更新表示を止めてしまうと、これによりＢＮ役の当選を遊技者に容易に把握させてしまう。そこで、高確ＲＴ遊技中にＢＮ役の当選がなされた後も該ＢＮ役の入賞の発生までの間、高確ＲＴ遊技の残り遊技回数の演出表示装置１４での更新表示を継続することで、高確ＲＴ遊技への期待感の変化を遊技者に効果的に把握させつつもＢＮ役の当選を遊技者に容易に把握させてしまうことが抑制される。
【０２６１】
（５）高確ＲＴ遊技中においてＢＮ役の当選がなされた後、変動ゲームが行われても高確ＲＴ遊技のサブ制御用ＲＡＭ４１ｃでの残り遊技回数（ＡＲＴ回数）の更新を停止する構成とした。これにより、ＢＮ役の当選がなされて該ＢＮ役の入賞の発生までに変動ゲームを行ってしまっても、高確ＲＴ遊技の残り遊技回数（ＡＲＴ残り回数）の加算の際に遊技者にとって不利益となることを防止することができる。
【０２６２】
また、高確ＲＴ遊技の経過遊技回数（ＡＲＴ経過回数）が加算されるかもしれないからといって意図的に該経過遊技回数を増やすために、ＢＮ役の当選から該ＢＮ役の入賞の発生を意図的に遅らせるような行為の防止に寄与することができる。
【０２６３】
（６）確変回数は、高確ＲＴ遊技中のＢＮ役の当選がなされることで高確ＲＴ遊技の経過遊技回数が加算される構成とした。これにより、高確ＲＴ遊技の開始付近であって終了付近（３０回付近）に比べて残り遊技回数が多く残っている状況では、安心して変動ゲームを行える状況を創出できる。一方、高確ＲＴ遊技の終了付近（３０回付近）であって開始付近に比べて経過遊技回数が多く経過している状況では、確変回数の加算に期待を持てる状況を創出できる。このようにして高確ＲＴ遊技中でもＢＮ役の当選がなされるタイミングによって変化する遊技経過回数を確変回数に加算することから、高確ＲＴ遊技に対する期待感を変化させつつ高確ＲＴ遊技中の遊技の興趣も効果的に向上させることができる。
【０２６４】
（７）ＢＮ後確変モード（ペナルティ）に制御されている場合には、変動ゲームで全列の図柄が停止表示された後であって遊技を行っていれば認識し易いタイミングでペナルティ報知演出を行わせる構成とした。このため、ペナルティの付与中であることを積極的に報知するのではなく遊技を行っていなければ認識し難いが遊技を行っていれば認識し易くなるように報知することができる。このようにしてペナルティ報知演出に関して他の遊技者に対してさらし者にされたように思わせないような工夫を施していることから、遊技者が不快になることを抑制することができる。
【０２６５】
また、遊技者が気付くことなくＢＮ後確変モード（ペナルティ）におけるＳＩＮこぼし停止目が停止表示されうる（ＳＩＮ役を取りこぼせる）場合にＳＩＮ停止目が停止表示されている（ＳＩＮ役が入賞してしまう）こともある。このような場合には、有利情報（本実施形態では、ベルナビ演出）の報知が行われなくなったことや一向に確変モードに制御される非ＲＴ遊技に移行しないことに対して遊技者が疑義を抱きうるようになる。しかしながら、ペナルティ報知演出を行うことでこのような遊技者の抱く疑義が解消されるようになる。さらに加えて、このようなペナルティ報知演出に関して他の遊技者に対してさらし者にされたように思わせないような工夫を施していることから、遊技者が不快になることを抑制しつつ遊技者の抱く疑義を解消することができる。
【０２６６】
（８）ＢＮ後確変モード（ペナルティ）に制御されるＢＮ後ＲＴ遊技では、確変モードに制御される非ＲＴ遊技への移行の契機を報知する構成とした。これにより、確変モードに制御される非ＲＴ遊技への移行の機会を逃してしまった遊技者に対しては、このような機会を繰り返し逃さないように遊技を補助することができるようになる。このようにして遊技が補助されることから、いつまでもＢＮ後確変モード（ペナルティ）が続くことを効果的に抑制することができる。
【０２６７】
このような報知として本実施形態では、確変モードに制御される非ＲＴ遊技への移行の契機がＳＩＮ役の当選であることから、ＳＩＮ役の当選がなされた旨を報知する構成とした。
【０２６８】
（９）ＢＮ後確変モード（ペナルティ）では、遊技者にＳＩＮこぼし停止目を停止表示させるように操作することを促す報知を行う構成とした。このようにしてＳＩＮこぼし停止目の停止表示に必要なより具体的な報知を行うことで、ＳＩＮこぼし停止目を停止表示させる機会を繰り返し逃さないように効果的に遊技を補助することができる。
【０２６９】
（１０）ＢＮ後確変モードに制御されるＢＮ後ＲＴ遊技から高確ＲＴ遊技には、ＳＩＮこぼし停止目が停止表示されなければ到達しえない構成とした。ＢＮ後確変モードに制御されるＢＮ後ＲＴ遊技から確変モードに制御される非ＲＴ遊技へと一向に移行しない場合には、高確ＲＴ遊技に到達しえないことから遊技者にとって不利な状況と言える。このため、ペナルティ報知演出を全く行わないと遊技者にとって不利な状況がいつまでも続いてしまう事態が発生しうる。このような事態の発生を抑制するには、ペナルティ報知演出が有効に作用するようになる。さらに加えてこのようなペナルティ報知演出に関して他の遊技者に対してさらし者にされたように思わせないような工夫を施すことで、遊技者が不快になることを効果的に抑制しつつ遊技者にとって不利な状況がいつまでも続くことを効果的に抑制することができる。
【０２７０】
なお、上記実施形態は以下のように変更してもよい。
・本実施形態では、確変回数としてサブ制御用ＲＡＭ４１ｃで記憶管理される回数の減算（−１）をＢＮ役の当選後も継続するようにしてもよい。
【０２７１】
・本実施形態では、ＡＲＴ回数としてサブ制御用ＲＡＭ４１ｃで記憶管理される回数の減算（−１）をＢＮ役の当選後も継続するようにしてもよい。
・本実施形態では、確変回数として演出表示装置１４で報知される回数の減算（−１）をＢＮ役の当選を以って停止させることもできる。
【０２７２】
・本実施形態では、演出表示装置１４での確変回数の報知を行わないで構成することもできる。
・本実施形態では、ＡＲＴ回数としてサブ制御用ＲＡＭ４１ｃで記憶管理される回数の減算（−１）をＢＮ役の当選を以って停止させることもできる。
【０２７３】
・本実施形態では、演出表示装置１４でのＡＲＴ回数の報知を行わないで構成することもできる。
・本実施形態では、演出表示装置１４でＡＲＴ残り回数を報知するかわりにＡＲＴ経過回数を報知することもできる。
【０２７４】
・本実施形態では、非ＲＴ遊技と高確ＲＴ遊技でのリプレイ役の合算の当選確率を同一確率に設定しなくてもよく、非ＲＴ遊技におけるリプレイ役の合算の当選確率が低確ＲＴ遊技やＢＮ後ＲＴ遊技よりも高く設定されていればよい。このため、非ＲＴ遊技でのリプレイ役の合算の当選確率は、高確ＲＴ遊技に比べて低確率に設定することもできるし高確ＲＴ遊技に比べて高確率に設定することもできる。
【０２７５】
・本実施形態において、有利遊技状態や有利準備遊技状態は、通常遊技状態に比べて遊技者にとって有利であればよく、例えば、このような遊技者にとって有利な構成をリプレイ役の合算の当選確率とは別の構成で実現することもできる。この場合には、リプレイ役の合算の当選確率を遊技状態に関係なくほとんど変わりなく設定することもできる。
【０２７６】
・本実施形態では、上昇リプレイ役の当選時には遊技者の押し順（停止操作のタイミング）に関係なく入賞可能な構成を採用することもできる。この場合には、非ＲＴ遊技から高確ＲＴ遊技への移行の条件は、上昇リプレイ役の当選ということになる。なお、転落リプレイ役についても同様の構成を採用することができる。このような構成によれば、非ＲＴ遊技では、転落リプレイ役よりも先に上昇リプレイ役に当選することができれば高確ＲＴ遊技へと移行される一方、上昇リプレイ役よりも先に転落リプレイ役に当選してしまうことで低確ＲＴ遊技へと移行されるといった遊技性を実現することができる。なお、上昇リプレイ役及び転落リプレイ役のどちらかを当選時には押し順に関係なく入賞可能な構成にすることもできる。
【０２７７】
・本実施形態では、転落リプレイ役を設定しないこともできる。この場合には、上昇リプレイ役の当選に基づく押し順不正解による維持リプレイ役の入賞を転落リプレイ役の入賞に同じ役割を持たせるようにする。また、この場合には、当選役として転落リプレイ役を決定しうる場面では、維持リプレイ役の当選に置き換えたりして構成すればよい。
【０２７８】
・本実施形態では、転落リプレイ役の当選時に押し順正解で転落リプレイ停止目が停止表示され、押し順不正解で維持リプレイ停止目が停止表示されるように構成したが、転落リプレイ役の当選時に押し順正解で維持リプレイ停止目が停止表示され、押し順不正解で転落リプレイ停止目が停止表示されるように構成してもよい。すなわち、本別例では、転落リプレイ役の当選時、転落リプレイ停止目（２／３で押し順不正解）よりも維持リプレイ停止目（１／３で押し順正解）が停止表示される割合が高まることになる。
【０２７９】
・本実施形態では、ＡＲＴ還元処理によりＡＲＴ残り回数のみを確変回数に上乗せしてもよい。
・本実施形態では、ＡＲＴ還元処理によりＡＲＴ経過回数のみを確変回数に上乗せしてもよい。
【０２８０】
・本実施形態では、ＡＲＴ還元処理により逆転抽選を行うことなく、ＡＲＴ回数が５回以下ならＡＲＴ経過回数を確変回数に上乗せしてもよい。
・本実施形態では、ＡＲＴ還元処理により上乗せされる回数として、ＡＲＴ残り回数やＡＲＴ経過回数にさらに加算して上乗せしたり、これら回数そのものではなくその何割かを上乗せしたりするようにもできる。
【０２８１】
・本実施形態では、ＡＲＴ還元処理での逆転抽選の態様を任意に変更してもよく、ＡＲＴ残り回数よりもＡＲＴ経過回数を上乗せし易くすることもできる。
・本実施形態では、ＡＲＴ還元処理でＡＲＴ経過回数を上乗せする条件を任意に変更してもよく、ＡＲＴ残り回数を上乗せする条件、ＡＲＴ残り回数又はＡＲＴ経過回数の何れかを上乗せする条件、ＡＲＴ経過回数を上乗せする条件を設定してもよい。また、ＡＲＴ還元処理では、ＡＲＴ残り回数に関係なく逆転抽選を行うようにしてもよい。
【０２８２】
・本実施形態では、ＡＲＴ還元処理をＢＮ役の当選時に行うようにしたが、該ＢＮ役に基づくＢＮ遊技の終了時までの何れかのタイミングで行うようにしてもよい。この場合には、ＡＲＴ還元処理を行うまでの間、ＡＲＴ回数に関する情報をサブ制御用ＲＡＭ４１ｃに記憶保持するようにすればよい。
【０２８３】
・本実施形態では、ＡＲＴ還元処理の結果をＢＮ遊技の終了時に遊技者に報知するようにしたが、ＢＮ役の入賞後のタイミングであれば変更してもよく、ＢＮ遊技の開始時やＢＮ遊技の途中で報知したり報知のタイミングを変化可能にすることもできる。
【０２８４】
・本実施形態では、遊技状態の構成を任意に変更してもよく、ＲＴ性能の異なる一般遊技の種類を減らすこともできるしＢＮ後ＲＴ遊技を設定しないこともできる。例えば、ＢＮ遊技の終了後には、低確ＲＴ遊技に移行して上昇リプレイ役の入賞等の所定条件の成立を契機に高確ＲＴ遊技に移行するようにもできる。
【０２８５】
・本実施形態では、非ＲＴ遊技から高確ＲＴ遊技への移行の契機として賞メダルの払出しを定める図柄の組み合わせを設定することもできるし、当選役の取りこぼしを設定することもできる。
【０２８６】
・本実施形態では、ＢＮ後ＲＴ遊技から非ＲＴ遊技への移行の契機として賞メダルの払出しを定める図柄の組み合わせを設定することもできるし、リプレイ役を設定することもできる。
【０２８７】
・本実施形態では、低確ＲＴ遊技や高確ＲＴ遊技の上限回数を任意に変更することもできる。また、低確ＲＴ遊技や高確ＲＴ遊技に関しては、例えば、上限のない仕様で実現するように詳しい仕様を任意に変更してもよい。
【０２８８】
・本実施形態ＳＩＮにおいて、報知演出では、ＳＩＮこぼし停止目を停止表示させるために具体的にどういった停止操作を行えばよいかまで報知しないでＳＩＮ役の当選のみを報知するように構成してもよい。
【０２８９】
・本実施形態では、ＳＩＮ役の入賞には押し順の概念を有するように構成することもできる。この場合には、ＳＩＮ報知演出にてＳＩＮ役の取りこぼし、すなわちＳＩＮ役の押し順不正解を報知することになる。
【０２９０】
・本実施形態では、ＳＩＮ報知演出を行わないように構成できる。
・本実施形態では、ペナルティ報知演出を他種の演出と演出装置を兼用していなくてもよく、ペナルティ報知演出専用の演出装置を備えてもよい。
【０２９１】
・本実施形態において、ペナルティ報知演出では、ＢＮ後確変モード（ペナルティ）であることを遊技者に把握させることができる態様で行われればよく、その実行の態様を任意に変更してもよい。
【０２９２】
・本実施形態では、ペナルティ報知演出に関しては全列が停止表示された後に報知される態様で構成されていれば、枠用ランプＲや演出表示装置１４等の演出装置で行われるようにしてもよい。
【０２９３】
・本実施形態では、ペナルティ報知演出の実行時間をベット有効時間よりも長いがウェイトタイム以下に設定したり、ウェイトタイム以上に設定したりしてもよい。この場合には、次の変動ゲームの開始に関するベットが行われることにより、ペナルティ報知演出を終了させる構成とすることもできる。
【０２９４】
・本実施形態では、ペナルティ報知演出を確変モード（ペナルティ）の制御中にも行わせたり、ＢＮ後モードの制御中にＳＩＮ役が入賞した後にも行わせたりしてもよい。
・本実施形態では、何れの演出モードでもＡＲＴ移行抽選やこれにかわるＡＲＴモードに繋がる抽選を行うようにしてもよい。この場合には、確変モード（ペナルティ）やＢＮ後確変モード（ペナルティ）の制御中にはＡＲＴモードに繋がる抽選を行わない又は当選としないペナルティも付与するようにもできる。また、この場合には、ＢＮ後モードの制御中にはＳＩＮ役を入賞させた後、ＳＩＮ役を取りこぼすまでの間、ＡＲＴモードに繋がる抽選を行う又は当選としないペナルティを付与するようにもできる。
【０２９５】
・本実施形態は、演出表示装置１４を設けないパチスロに適用することもできる。この場合には、各種ランプの発光演出により演出状態を遊技者に報知したり、各演出状態用の専用ランプを設けてこれらを点灯させて演出状態を遊技者に報知したり、スピーカＳＰの音声演出により演出状態を遊技者に報知したりしてもよい。また、この場合には、各種ランプやスピーカＳＰなどにより各種ナビ演出などの各種演出を行わせることもできる。
【０２９６】
・本実施形態では、ＢＮ遊技の終了を、入賞回数のみで規定することもできるし、実行回数のみで規定することもできる。また、ＢＮ役の種類を増やすこともできるし、ＢＮ役としてチャレンジタイム（所謂、「ＣＴ」）としてもよい。例えば、ＢＮ遊技には、獲得枚数の多い「ビッグボーナス」や獲得枚数の少ない「レギュラーボーナス」というように、獲得枚数の異なる複数のＢＮ遊技の入賞を許容する複数のＢＮ役を設定することもできる。この場合には、ＢＮ役の種類に応じてＡＲＴ還元処理の態様を異ならせることもできる。例えば、「ビッグボーナス」の当選に基づくＡＲＴ還元処理ではＡＲＴ残り回数を上乗せする一方、「レギュラーボーナス」の当選に基づくＡＲＴ還元処理ではＡＲＴ経過回数を上乗せする仕様にしたりできるようになる。
【０２９７】
・本実施形態では、転落リプレイ役や上昇リプレイ役やベル役における停止目が変化しうる要素として、ストップボタンを操作するタイミングにしてもよい。この場合には、各リール（一つ又は全て）における特定の部分（図柄）を狙うような仕様が考えられる。そして、各種ナビ演出では、ストップボタンを操作するタイミング（特定の部分（図柄））を報知したりする。
【０２９８】
・本実施形態は、遊技媒体として遊技球（パチンコ球）を用いるパチンコ式スロット機（パチスロ機）に具体化してもよい。
次に、上記実施形態及び別例から把握できる技術的思想を以下に追記する。
【０２９９】
（イ）前記遊技状態制御手段は、前記有利遊技状態中において前記特別入賞の発生を許容する旨の決定がなされた後、前記遊技が行われても前記有利遊技状態の残り遊技回数の更新を停止する。
【０３００】
（ロ）開始操作が行われることに基づいて複数列の図柄を変動させる遊技が図柄表示装置で開始され、前記図柄表示装置に表示結果が導出されることにより遊技が終了し、前記図柄表示装置の表示結果に応じて入賞が発生可能とされる遊技機において、遊技状態を制御する手段であって、通常遊技状態において第１の移行条件が成立したときに第１有利遊技状態に制御し、前記第１有利遊技状態において第２の移行条件が成立したときに前記第１有利遊技状態とは異なる遊技者にとって有利な第２有利遊技状態に制御し、前記第２有利遊技状態において所定回数の遊技を行うことにより前記第１有利遊技状態に制御し、特別移行条件が成立したときに特別遊技状態に制御する遊技状態制御手段と、前記第１有利遊技状態と前記第２有利遊技状態で遊技者にとって有利となる有利情報を報知するための制御を行う報知制御手段と、を備え、前記第１有利遊技状態での前記報知制御手段による前記有利情報を報知する報知期間として遊技の回数が設定され、前記第１有利遊技状態における前記有利情報の報知は前記報知期間に基づく回数の遊技を行うことで終了され、前記第１有利遊技状態から前記第２有利遊技状態に移行した場合には前記報知期間の残り遊技回数が保持され、前記第２有利遊技状態中において前記特別移行条件の成立を許容する旨の決定がなされた場合、該第２有利遊技状態の残り遊技回数に基づいた遊技回数が前記第１有利遊技状態から前記第２有利遊技状態に移行した場合に保持された残り遊技回数に加算されることを特徴とする遊技機。
【０３０１】
（ハ）開始操作が行われることに基づいて複数列の図柄を変動させる遊技が図柄表示装置で開始され、前記図柄表示装置に表示結果が導出されることにより遊技が終了し、前記図柄表示装置の表示結果に応じて入賞が発生可能とされる遊技機において、遊技状態を制御する手段であって、通常遊技状態において第１の移行条件が成立したときに第１有利遊技状態に制御し、前記第１有利遊技状態において第２の移行条件が成立したときに前記第１有利遊技状態とは異なる遊技者にとって有利な第２有利遊技状態に制御し、前記第２有利遊技状態において所定回数の遊技を行うことにより前記第１有利遊技状態に制御する遊技状態制御手段と、前記第１有利遊技状態と前記第２有利遊技状態で遊技者にとって有利となる有利情報を報知するための制御を行う報知制御手段と、を備え、前記第１有利遊技状態での前記報知制御手段による前記有利情報を報知する報知期間として遊技の回数が設定され、前記第１有利遊技状態における前記有利情報の報知は前記報知期間に基づく回数の遊技を行うことで終了され、前記第１有利遊技状態から前記第２有利遊技状態に移行した場合には前記報知期間の残り遊技回数が保持され、前記第２有利遊技状態中において特別条件の成立を許容する旨の決定がなされた場合、当該特別条件に基づく遊技回数が前記第１有利遊技状態から前記第２有利遊技状態に移行した場合に保持された残り遊技回数に加算されることを特徴とする遊技機。
【符号の説明】
【０３０２】
ＥＲ…演出用ランプ、Ｌ１〜Ｌ５…図柄停止ライン、１０…パチスロ、１３…リールユニット、１４…演出表示装置、１３Ｌ…左リール、１３Ｃ…中リール、１３Ｒ…右リール、３２…スタートレバー、３３Ｌ、３３Ｃ、３３Ｒ…ストップボタン、４０…主制御基板、４０ａ…主制御用ＣＰＵ、４０ｂ…主制御用ＲＯＭ、４０ｃ…主制御用ＲＡＭ、４１…サブ制御基板、４１ａ…サブ制御用ＣＰＵ、４１ｂ…サブ制御用ＲＯＭ、４１ｃ…サブ制御用ＲＡＭ。
【図１】
0005994006.tif 000002
【図２】
0005994006.tif 000003
【図３】
0005994006.tif 000004
【図４】
0005994006.tif 000005
【図５】
0005994006.tif 000006
【図６】
0005994006.tif 000007
【図７】
0005994006.tif 000008
【図８】
0005994006.tif 000009
【図９】
0005994006.tif 000010
【図１０】
0005994006.tif 000011
【図１１】
0005994006.tif 000012
【図１２】
0005994006.tif 000013
【図１３】
0005994006.tif 000014
【図１４】
0005994006.tif 000015